(57)【要約】【課題】  ＺＣＬＶ記録または再生の際に、最も短時間で記録または再生を完了可能なように、速度切り替えを行う。【解決手段】  情報トラックが螺旋状に形成されるとともに線記録密度一定方式でフォーマットされたアドレス情報を持つ情報ディスク２に記録再生することが可能な情報ディスク記録再生装置である。情報ディスク２の回転を制御する回転制御手段８と、この回転制御手段８を制御して、情報ディスク２に記録する予め定めた複数の記録速度を切り替え可能な記録速度制御手段１０と、情報ディスク２へデータを記録する場合において、情報ディスク２の回転速度が予め定めた値となったときに、記録速度制御手段１０を制御して記録速度を切り替える制御手段１１とを備える。【選択図】        図１
2005243054.tif 000002
【特許請求の範囲】
【請求項１】
情報トラックが螺旋状に形成されるとともに線記録密度一定方式でフォーマットされたアドレス情報を持つ情報ディスクに記録再生することが可能な情報ディスク記録再生装置であって、
前記情報ディスクの回転を制御する回転制御手段と、
前記回転制御手段を制御して、前記情報ディスクに記録再生する予め定めた複数の記録再生速度を切り替え可能な記録再生速度制御手段と、
前記情報ディスクへデータを記録再生する場合において、前記情報ディスクの回転速度が予め定めた値となったときに、前記記録再生速度制御手段を制御して記録再生速度を切り替える制御手段と、
を備えることを特徴とする情報ディスク記録再生装置。
【請求項２】
制御手段は、情報ディスクにデータを記録再生するときに、前記情報ディスクの内周側から外周側に向かって記録再生を行うとともに、前記情報ディスクの回転速度が予め定めた値以下となったときに記録再生速度を切り替えるように構成されていることを特徴とする請求項１記載の情報ディスク記録再生装置。
【請求項３】
制御手段は、情報ディスクにデータを記録再生するときに、前記情報ディスクの外周側から内周側に向かって記録再生を行うとともに、前記情報ディスクの回転速度が予め定めた値以上となったときに記録再生速度を切り替えるように構成されていることを特徴とする請求項１記載の情報ディスク記録再生装置。
【請求項４】
制御手段は、情報ディスクにデータを記録再生するときに、前記情報ディスクの回転速度が、記録再生速度切り替え後にディスク装置の予め定めた最高回転速度以下となるような回転速度となったのちに、記録再生速度を切り替えるように構成されていることを特徴とする請求項２記載の情報ディスク記録再生装置。
【請求項５】
情報トラックが螺旋状に形成されるとともに線記録密度一定方式でフォーマットされたアドレス情報を持つ情報ディスクに記録再生することが可能な情報ディスク記録再生装置であって、
前記情報ディスクの回転を制御する回転制御手段と、
前記回転制御手段を制御して、前記情報ディスクに記録再生する予め定めた複数の記録再生速度を切り替え可能な記録再生速度制御手段と、
前記情報ディスクが回転したときの前記情報ディスク記録再生装置の加速度を検出する加速度検出手段と、
前記加速度検出手段の検出結果が予め定めた値以下になる回転速度か、前記情報ディスク記録再生装置の予め定めた最高回転速度か、いずれか小さい方を、前記情報ディスクの最高回転速度として、前記情報ディスクにデータを記録再生するときに、前記情報ディスクの内周側から外周側に向かって記録再生を行うとともに、前記情報ディスクの回転速度が、記録再生速度切り替え後に前記情報ディスクの最高回転速度以下となるような回転速度まで低下したのちに、前記記録再生速度制御手段を制御して記録再生速度を切り替える制御手段と、
を備えることを特徴とする情報ディスク記録再生装置。
【請求項６】
情報トラックが螺旋状に形成されるとともに線記録密度一定方式でフォーマットされたアドレス情報を持つ情報ディスクに記録再生することが可能な情報ディスク記録再生装置であって、
前記情報ディスクの回転を制御する回転制御手段と、
前記回転制御手段を制御して、前記情報ディスクに記録再生する予め定めた複数の記録再生速度を切り替え可能な記録再生速度制御手段と、
前記情報ディスクが回転したときの前記情報ディスク記録再生装置の振動を検出する振動検出手段と、
前記振動検出手段の検出結果が予め定めた値以下になる回転速度か、前記情報ディスク記録再生装置の予め定めた最高回転速度か、いずれか小さい方を、前記情報ディスクの最高回転速度として、前記情報ディスクにデータを記録再生するときに、前記情報ディスクの内周側から外周側に向かって記録再生を行うとともに、前記情報ディスクの回転速度が、記録再生速度切り替え後に前記情報ディスクの最高回転速度以下となるような回転速度まで低下したのちに、前記記録再生速度制御手段を制御して記録再生速度を切り替える制御手段と、
を備えることを特徴とする情報ディスク記録再生装置。
【請求項７】
情報トラックが螺旋状に形成されるとともに線記録密度一定方式でフォーマットされたアドレス情報を持つ情報ディスクに記録再生することが可能な情報ディスク記録再生装置であって、
前記情報ディスクの回転を制御する回転制御手段と、
前記回転制御手段を制御して、前記情報ディスクに記録再生する予め定めた複数の記録再生速度を切り替え可能な記録再生速度制御手段と、
前記情報ディスクが回転したときの前記情報ディスク記録再生装置の加速度を検出する加速度検出手段と、
前記情報ディスクが回転したときの前記情報ディスク記録再生装置の振動を検出する振動検出手段と、
前記加速度検出手段の検出結果が予め定めた値以下になる回転速度か、前記振動検出手段の検出結果が予め定めた値以下になる回転速度か、前記情報ディスク記録再生装置の予め定めた最高回転速度かの、いずれか小さい回転速度を、前記情報ディスクの最高回転速度として、前記情報ディスクにデータを記録再生するときに、前記情報ディスクの内周側から外周側に向かって記録再生を行うとともに、前記情報ディスクの回転速度が、記録再生速度切り替え後に前記情報ディスクの最高回転速度以下となるような回転速度まで低下したのちに、前記記録再生速度制御手段を制御して記録再生速度を切り替える制御手段と、
を備えることを特徴とする情報ディスク記録再生装置。
【請求項８】
制御手段は、情報ディスクにデータを記録再生するときに、
情報ディスクの回転速度：Ｒ１
情報ディスクの最高回転速度：Ｒｍａｘ２
記録再生速度切り替え前の記録再生速度：Ｖｍ１
記録再生速度切り替え後の記録再生速度：Ｖｍ２
として、
【数１】
2005243054.tif 000041
となったのちに記録再生速度を切り替えるように構成されていることを特徴とする請求項４から７までのいずれか１項記載の情報ディスク記録再生装置。
【請求項９】
情報トラックが螺旋状に形成されるとともに線記録密度一定方式でフォーマットされたアドレス情報を持つ情報ディスクに記録再生することが可能な情報ディスク記録再生装置であって、
前記情報ディスクの回転を制御する回転制御手段と、
前記回転制御手段を制御して、前記情報ディスクに記録再生する予め定めた複数の記録再生速度を切り替え可能な記録再生速度制御手段と、
前記情報ディスクが回転したときの前記情報ディスク記録再生装置の加速度を検出する加速度検出手段と、
前記加速度検出手段の検出結果が予め定めた値以下になる回転速度か、前記情報ディスク記録再生装置の予め定めた最高回転速度か、いずれか小さい方を、前記情報ディスクの最高回転速度として、前記情報ディスクにデータを記録再生するときに、前記情報ディスクの外周側から内周側に向かって記録再生を行うとともに、前記情報ディスクの回転速度が前記情報ディスクの最高回転速度にほぼ等しい回転速度まで上昇したときに、前記記録再生速度制御手段を制御して記録再生速度を切り替える制御手段と、
を備えることを特徴とする情報ディスク記録再生装置。
【請求項１０】
情報トラックが螺旋状に形成されるとともに線記録密度一定方式でフォーマットされたアドレス情報を持つ情報ディスクに記録再生することが可能な情報ディスク記録再生装置であって、
前記情報ディスクの回転を制御する回転制御手段と、
前記回転制御手段を制御して、前記情報ディスクに記録再生する予め定めた複数の記録再生速度を切り替え可能な記録再生速度制御手段と、
前記情報ディスクが回転したときの前記情報ディスク記録再生装置の振動を検出する振動検出手段と、
前記振動検出手段の検出結果が予め定めた値以下になる回転速度か、前記情報ディスク記録再生装置の予め定めた最高回転速度か、いずれか小さい方を、前記情報ディスクの最高回転速度として、前記情報ディスクにデータを記録再生するときに、前記情報ディスクの外周側から内周側に向かって記録再生を行うとともに、前記情報ディスクの回転速度が前記情報ディスクの最高回転速度にほぼ等しい回転速度まで上昇したときに、前記記録再生速度制御手段を制御して記録再生速度を切り替える制御手段と、
を備えることを特徴とする情報ディスク記録再生装置。
【請求項１１】
情報トラックが螺旋状に形成されるとともに線記録密度一定方式でフォーマットされたアドレス情報を持つ情報ディスクに記録再生することが可能な情報ディスク記録再生装置であって、
前記情報ディスクの回転を制御する回転制御手段と、
前記回転制御手段を制御して、前記情報ディスクに記録再生する予め定めた複数の記録再生速度を切り替え可能な記録再生速度制御手段と、
前記情報ディスクが回転したときの前記情報ディスク記録再生装置の加速度を検出する加速度検出手段と、
前記情報ディスクが回転したときの前記情報ディスク記録再生装置の振動を検出する振動検出手段と、
前記加速度検出手段の検出結果が予め定めた値以下になる回転速度か、前記振動検出手段の検出結果が予め定めた値以下になる回転速度か、前記情報ディスク記録再生装置の予め定めた最高回転速度かの、いずれか小さい回転速度を、前記情報ディスクの最高回転速度として、前記情報ディスクにデータを記録再生するときに、前記情報ディスクの外周側から内周側に向かって記録再生を行うとともに、前記情報ディスクの回転速度が前記情報ディスクの最高回転速度にほぼ等しい回転速度まで上昇したときに、前記記録再生速度制御手段を制御して記録再生速度を切り替える制御手段と、
を備えることを特徴とする情報ディスク記録再生装置。
【請求項１２】
制御手段は、
記録動作を行うときは、加速度検出手段の検出結果が予め定めた値以下になる回転速度と、振動検出手段の検出結果が予め定めた値以下になる回転速度と、ディスク記録再生装置の予め定めた最高回転速度とのうちの最も低い回転速度が動作時の最高回転速度となるように、予め定められかつ切り替え可能な複数の記録速度を選択して使用するように構成されるとともに、
再生動作を行うときは、振動検出手段の検出結果が予め定めた値以下になる回転速度と、ディスク記録再生装置の予め定めた最高回転速度との小さい方の回転速度が動作時の最高回転速度となるように、予め定められかつ切り替え可能な複数の再生速度を選択して使用するように構成されていることを特徴とする請求項７記載の情報ディスク記録再生装置。
【請求項１３】
読取／記録のための参照信号が情報ディスクの情報トラックを横切る際の再生信号に基づいてトラッククロスパルスを生成するトラッククロス検出手段と、
前記トラッククロス検出手段により検出されたトラッククロスパルスを計数する計数手段とを備え、
加速度検出手段は、トラッキングサーボをオフにしたときの情報ディスクの回転速度と前記トラッククロスパルスの計数の結果とから、現在の回転速度における前記情報トラックと参照信号との間のトラッキング方向の加速度を検出するように構成されていることを特徴とする請求項５、７、９、１１のいずれか１項記載の情報ディスク記録再生装置。
【請求項１４】
読取／記録のための参照信号が情報ディスクの情報トラックを横切る際の再生信号に基づいてトラッククロスパルスを生成するトラッククロス検出手段と、
ｎを任意の数として、情報ディスクの回転角度情報を１回転あたりｎ分割された領域に分けて出力する回転角度検出手段と、
読取／記録のための参照信号が情報ディスクの情報トラックを横切る方向を表すトラッククロス方向を検出するトラッククロス方向検出手段と、
前記トラッククロス方向検出手段の検出結果と前記回転角度情報とに基いて前記トラッククロス検出手段から出力されるトラッククロスパルスを符号付きで計数する計数手段とを備え、
振動検出手段は、トラッキングサーボをオフにした状態で、前記情報ディスクを振動が発生しないだけ十分に低い第１の回転速度で回転させたときの前記計数手段の計数結果と、第１の回転速度よりも速い第２の回転速度で前記情報ディスクを回転させたときの前記計数手段の計数結果とを比較することにより、前記第２の回転速度での振動量を検出するように構成されていることを特徴とする請求項６、７、１０、１１のいずれか１項記載の情報ディスク記録再生装置。
【請求項１５】
情報トラックが螺旋状に形成されるとともに線記録密度一定方式でフォーマットされたアドレス情報を持つ情報ディスクに記録再生することが可能な情報ディスク記録再生装置において、
前記情報ディスクへデータを記録再生する場合に、前記ディスクの回転速度が予め定めた値となったときに、前記情報ディスクに記録再生する記録再生速度を、予め定めた複数の記録再生速度のいずれかに切り替えることを特徴とする情報ディスク記録再生装置の記録再生速度制御方法。
【請求項１６】
情報ディスクにデータを記録再生するときに、前記情報ディスクの内周側から外周側に向かって記録再生を行うとともに、前記情報ディスクの回転速度が予め定めた値以下となったときに記録再生速度を切り替えることを特徴とする請求項１５記載の情報ディスク記録再生装置の記録再生速度制御方法。
【請求項１７】
情報ディスクにデータを記録再生するときに、前記情報ディスクの外周側から内周側に向かって記録再生を行うとともに、前記情報ディスクの回転速度が予め定めた値以上となったときに記録再生速度を切り替えることを特徴とする請求項１５記載の情報ディスク記録再生装置の記録再生速度制御方法。
【請求項１８】
情報ディスクにデータを記録再生するときに、前記情報ディスクの回転速度が、記録再生速度切り替え後にディスク装置の予め定めた最高回転速度以下となるような回転速度となったのちに、記録再生速度を切り替えることを特徴とする請求項１５記載の情報ディスク記録再生装置の記録再生速度制御方法。
【請求項１９】
情報トラックが螺旋状に形成されるとともに線記録密度一定方式でフォーマットされたアドレス情報を持つ情報ディスクに記録再生することが可能な情報ディスク記録再生装置において、
前記情報ディスクが回転したときの前記情報ディスク記録再生装置の加速度が予め定めた値以下になる回転速度か、前記情報ディスク記録再生装置の予め定めた最高回転速度か、いずれか小さい方を、前記情報ディスクの最高回転速度として、前記情報ディスクにデータを記録再生するときに、前記情報ディスクの内周側から外周側に向かって記録再生を行うとともに、前記情報ディスクの回転速度が、記録再生速度切り替え後に前記情報ディスクの最高回転速度以下となるような回転速度まで低下したのちに、前記情報ディスクに記録再生する記録再生速度を、予め定めた複数の記録再生速度のいずれかに切り替えることを特徴とする情報ディスク記録再生装置の記録再生速度制御方法。
【請求項２０】
情報トラックが螺旋状に形成されるとともに線記録密度一定方式でフォーマットされたアドレス情報を持つ情報ディスクに記録再生することが可能な情報ディスク記録再生装置において、
前記情報ディスクが回転したときの前記情報ディスク記録再生装置の振動が予め定めた値以下になる回転速度か、前記情報ディスク記録再生装置の予め定めた最高回転速度か、いずれか小さい方を、前記情報ディスクの最高回転速度として、前記情報ディスクにデータを記録再生するときに、前記情報ディスクの内周側から外周側に向かって記録再生を行うとともに、前記情報ディスクの回転速度が、記録再生速度切り替え後に前記情報ディスクの最高回転速度以下となるような回転速度まで低下したのちに、前記情報ディスクに記録再生する記録再生速度を、予め定めた複数の記録再生速度のいずれかに切り替えることを特徴とする情報ディスク記録再生装置の記録再生速度制御方法。
【請求項２１】
情報トラックが螺旋状に形成されるとともに線記録密度一定方式でフォーマットされたアドレス情報を持つ情報ディスクに記録再生することが可能な情報ディスク記録再生装置において、
前記情報ディスクが回転したときの前記情報ディスク記録再生装置の加速度が予め定めた値以下になる回転速度か、前記情報ディスクが回転したときの前記情報ディスク記録再生装置の振動が予め定めた値以下になる回転速度か、前記情報ディスク記録再生装置の予め定めた最高回転速度か、いずれか小さい回転速度を、前記情報ディスクの最高回転速度として、前記情報ディスクにデータを記録再生するときに、前記情報ディスクの内周側から外周側に向かって記録再生を行うとともに、前記情報ディスクの回転速度が、記録再生速度切り替え後に前記情報ディスクの最高回転速度以下となるような回転速度まで低下したのちに、前記情報ディスクに記録再生する記録再生速度を、予め定めた複数の記録再生速度のいずれかに切り替えることを特徴とする情報ディスク記録再生装置の記録再生速度制御方法。
【請求項２２】
情報ディスクにデータを記録再生するときに、
情報ディスクの回転速度：Ｒ１
情報ディスクの最高回転速度：Ｒｍａｘ２
記録再生速度切り替え前の記録再生速度：Ｖｍ１
記録再生速度切り替え後の記録再生速度：Ｖｍ２
として、
【数１】
2005243054.tif 000042
となったのちに記録再生速度を切り替えることを特徴とする請求項１８から２１までのいずれか１項記載の情報ディスク記録再生装置の記録再生速度制御方法。
【請求項２３】
情報トラックが螺旋状に形成されるとともに線記録密度一定方式でフォーマットされたアドレス情報を持つ情報ディスクに記録再生することが可能な情報ディスク記録再生装置において、
前記情報ディスクが回転したときの前記情報ディスク記録再生装置の加速度が予め定めた値以下になる回転速度か、前記情報ディスク記録再生装置の予め定めた最高回転速度か、いずれか小さい方を、前記情報ディスクの最高回転速度として、前記情報ディスクにデータを記録再生するときに、前記情報ディスクの外周側から内周側に向かって記録再生を行うとともに、前記情報ディスクの回転速度が前記情報ディスクの最高回転速度にほぼ等しい回転速度まで上昇したときに、前記情報ディスクに記録再生する記録再生速度を、予め定めた複数の記録再生速度のいずれかに切り替えることを特徴とする情報ディスク記録再生装置の記録再生速度制御方法。
【請求項２４】
情報トラックが螺旋状に形成されるとともに線記録密度一定方式でフォーマットされたアドレス情報を持つ情報ディスクに記録再生することが可能な情報ディスク記録再生装置において、
前記情報ディスクが回転したときの前記情報ディスク記録再生装置の振動が予め定めた値以下になる回転速度か、前記情報ディスク記録再生装置の予め定めた最高回転速度か、いずれか小さい方を、前記情報ディスクの最高回転速度として、前記情報ディスクにデータを記録再生するときに、前記情報ディスクの外周側から内周側に向かって記録再生を行うとともに、前記情報ディスクの回転速度が前記情報ディスクの最高回転速度にほぼ等しい回転速度まで上昇したときに、前記情報ディスクに記録再生する記録再生速度を、予め定めた複数の記録再生速度のいずれかに切り替えることを特徴とする情報ディスク記録再生装置の記録再生速度制御方法。
【請求項２５】
情報トラックが螺旋状に形成されるとともに線記録密度一定方式でフォーマットされたアドレス情報を持つ情報ディスクに記録再生することが可能な情報ディスク記録再生装置において、
前記情報ディスクが回転したときの前記情報ディスク記録再生装置の加速度が予め定めた値以下になる回転速度か、前記情報ディスクが回転したときの前記情報ディスク記録再生装置の振動が予め定めた値以下になる回転速度か、前記情報ディスク記録再生装置の予め定めた最高回転速度か、いずれか小さい回転速度を、前記情報ディスクの最高回転速度として、前記情報ディスクにデータを記録再生するときに、前記情報ディスクの外周側から内周側に向かって記録再生を行うとともに、前記情報ディスクの回転速度が前記情報ディスクの最高回転速度にほぼ等しい回転速度まで上昇したときに、前記情報ディスクに記録再生する記録再生速度を、予め定めた複数の記録再生速度のいずれかに切り替えることを特徴とする情報ディスク記録再生装置の記録再生速度制御方法。
【請求項２６】
記録動作を行うときは、加速度検出手段の検出結果が予め定めた値以下になる回転速度と、振動検出手段の検出結果が予め定めた値以下になる回転速度と、ディスク記録再生装置の予め定めた最高回転速度とのうちの最も低い回転速度が動作時の最高回転速度となるように、予め定められかつ切り替え可能な複数の記録速度を選択して使用し、
再生動作を行うときは、振動検出手段の検出結果が予め定めた値以下になる回転速度と、ディスク記録再生装置の予め定めた最高回転速度との小さい方の回転速度が動作時の最高回転速度となるように、予め定められかつ切り替え可能な複数の再生速度を選択して使用することを特徴とする請求項２１記載の情報ディスク記録再生装置の記録再生速度制御方法。
【請求項２７】
読取／記録のための参照信号が情報ディスクの情報トラックを横切る際の再生信号に基づいてトラッククロスパルスを生成し、
検出されたトラッククロスパルスを計数し、
トラッキングサーボをオフにしたときの情報ディスクの回転速度と前記トラッククロスパルスの計数の結果とから、現在の回転速度における前記情報トラックと参照信号との間のトラッキング方向の加速度を検出することを特徴とする請求項１９、２１、２３、２５のいずれか１項記載の情報ディスク記録再生装置の記録再生速度制御方法。
【請求項２８】
読取／記録のための参照信号が情報ディスクの情報トラックを横切る際の再生信号に基づいてトラッククロスパルスを生成し、
ｎを任意の数として、情報ディスクの回転角度情報を１回転あたりｎ分割された領域に分けて出力し、
読取／記録のための参照信号が情報ディスクの情報トラックを横切る方向を表すトラッククロス方向を検出し、
前記トラッククロス方向の検出結果と前記回転角度情報とに基いて前記トラッククロスパルスを符号付きで計数し、
トラッキングサーボをオフにした状態で、前記情報ディスクを振動が発生しないだけ十分に低い第１の回転速度で回転させたときの前記トラッククロスパルスの計数結果と、第１の回転速度よりも速い第２の回転速度で前記情報ディスクを回転させたときの前記トラッククロスパルス計数手段の計数結果とを比較することにより、前記第２の回転速度での振動量を検出することを特徴とする請求項２０、２１、２４、２５のいずれか１項記載の情報ディスク記録再生装置の記録再生速度制御方法。
【発明の詳細な説明】
【技術分野】
【０００１】
本発明は、情報ディスク記録再生装置およびその記録再生速度制御方法に関し、特にＣＬＶフォーマットのディスクをＺＣＬＶ記録するための情報ディスク記録再生装置およびその記録再生速度制御方法に関する。
【背景技術】
【０００２】
近年、光ディスク記録装置は、記録速度の向上が著しい。光ディスク記録装置は一般に線速度一定（ＣＬＶ）方式でフォーマットされているが、その記録速度を向上させる方法としては、ディスクを複数の領域に分割して領域毎にＣＬＶ方式の記録速度を変えながら記録するＺＣＬＶ記録方式と、ＣＬＶフォーマットのディスクを角速度一定（ＣＡＶ）で回転させ、ディスクの時間情報を読み取りながらこれに同期して記録速度を変化させて記録するＣＡＶ記録方式とがある。
【０００３】
ＺＣＬＶ方式の記録方法のドライブは、現在一般に市販されており、以下のような動作を行う。
すなわち、ＺＣＬＶ記録方式では、サポートする複数の記録速度が予め決められている。この複数の記録速度ごとに、ディスクを複数の領域に分割して、各領域での記録時の最高回転速度がシステムの許容最高回転速度を超えないように、領域ごとに速度を切り替えながら記録を行う。
【０００４】
この際、ディスクの線速度、トラックピッチには一定の許容範囲があるので、この許容範囲内で線速度、トラックピッチが変化した場合でもシステムの許容最高回転速度を超えることが無いように、ディスク上の時間情報をもとに予め領域を分割しておく。
【０００５】
たとえば、ＣＤ−Ｒディスクで８、１６、２４倍速記録をサポートし、システムの許容最高回転速度が４８００ｒｐｍであったとすると、ディスクの最内周記録位置を半径０．０２５ｍとして、線速度について１．１〜１．３ｍ／ｓの許容範囲があり、トラックピッチについて１．５〜１．７μｍの許容範囲がある。最内周の８倍速で記録可能な領域は、次に１６倍速で記録を開始したとき４８００ｒｐｍ以下となるようにする必要があるので、このばらつきを考慮して４８００ｒｐｍ以上の回転速度にならないように、８、１６、２４倍速で記録するアドレス範囲を予め決定しておくのが一般的である。このようにしたときのディスク回転速度と記録速度との変化の例を図１１に示す。
【０００６】
上記のような手法は、たとえば特許文献１に記載されている。
【特許文献１】特開２００１−１７６１９３号公報
【発明の開示】
【発明が解決しようとする課題】
【０００７】
しかしながら、上記した方法では、ディスクのトラックピッチ、線速度のばらつきを許容するために、最悪ケースを考慮して、各記録速度で記録を行うアドレス範囲を決定する必要があるため、よりディスクの内周側で高倍速の記録速度に切り替えることができず、ディスクごとに最短の記録時間で記録を行うことができない。
【０００８】
そこで本発明は、ＺＣＬＶ記録または再生の際に最も短時間で記録または再生を完了可能なように速度切り替えを行えるようにすることを目的とする。
【課題を解決するための手段】
【０００９】
上記した課題を解決するために本発明の情報ディスク記録再生装置は、情報トラックが螺旋状に形成されるとともに線記録密度一定方式でフォーマットされたアドレス情報を持つ情報ディスクに記録再生することが可能な情報ディスク記録再生装置が、前記情報ディスクの回転を制御する回転制御手段と、前記回転制御手段を制御して、前記情報ディスクに記録再生する予め定めた複数の記録再生速度を切り替え可能な記録再生速度制御手段と、前記情報ディスクへデータを記録再生する場合において、前記情報ディスクの回転速度が予め定めた値となったときに、前記記録再生速度制御手段を制御して記録再生速度を切り替える制御手段とを備えたものである。
【発明の効果】
【００１０】
したがって本発明によれば、記録再生を行いながらディスクの回転速度を監視して、その記録再生速度を切り替えるものであるため、システムの許容最高回転速度を越えないようにしながら、ディスクごとに最短の記録再生時間で記録再生を行うことができる情報ディスク記録再生装置を提供することができる。
【発明を実施するための最良の形態】
【００１１】
請求項１に係る本発明は、情報トラックが螺旋状に形成されるとともに線記録密度一定方式でフォーマットされたアドレス情報を持つ情報ディスクに記録再生することが可能な情報ディスク記録再生装置が、前記情報ディスクの回転を制御する回転制御手段と、前記回転制御手段を制御して、前記情報ディスクに記録再生する予め定めた複数の記録再生速度を切り替え可能な記録再生速度制御手段と、前記情報ディスクへデータを記録再生する場合において、前記情報ディスクの回転速度が予め定めた値となったときに、前記記録再生速度制御手段を制御して記録再生速度を切り替える制御手段とを備えたものである。
【００１２】
これによれば、記録再生を行いながらディスクの回転速度を監視して、その記録再生速度を切り替えるものであるため、システムの許容最高回転速度を越えないようにしながら、ディスクごとに最短の記録再生時間で記録再生を行うことができる情報ディスク記録再生装置を提供することができる。
【００１３】
請求項２に係る本発明は、上記において、制御手段を、情報ディスクにデータを記録再生するときに、前記情報ディスクの内周側から外周側に向かって記録再生を行うとともに、前記情報ディスクの回転速度が予め定めた値以下となったときに記録再生速度を切り替えるように構成したものである。
【００１４】
これによれば、記録再生を行いながらディスクの回転速度を監視して、その記録再生速度を切り替えるものであるため、システムの許容最高回転速度を越えないようにしながら、ディスクごとに最短の記録再生時間で記録再生を行うことができる情報ディスク記録再生装置を提供することができる。
【００１５】
請求項３に係る本発明は、上記において、制御手段を、情報ディスクにデータを記録再生するときに、前記情報ディスクの外周側から内周側に向かって記録再生を行うとともに、前記情報ディスクの回転速度が予め定めた値以上となったときに記録再生速度を切り替えるように構成したものである。
【００１６】
これによれば、記録再生を行いながらディスクの回転速度を監視して、その記録再生速度を切り替えるものであるため、システムの許容最高回転速度を越えないようにしながら、ディスクごとに最短の記録再生時間で記録再生を行うことができる情報ディスク記録再生装置を提供することができる。
【００１７】
請求項４に係る本発明は、上記において、制御手段を、情報ディスクにデータを記録再生するときに、前記情報ディスクの回転速度が、記録再生速度切り替え後にディスク装置の予め定めた最高回転速度以下となるような回転速度となったのちに、記録再生速度を切り替えるように構成したものである。
【００１８】
これによれば、記録再生を行いながらディスクの回転速度を監視して、システムの許容最高回転速度を越えない状態であるうちに記録再生速度を切り替えるので、システムの許容最高回転速度を越えないようにしながらディスクごとに最短の記録再生時間で記録再生を行うことができる情報ディスク記録再生装置を提供することができる。
【００１９】
請求項５に係る本発明は、情報トラックが螺旋状に形成されるとともに線記録密度一定方式でフォーマットされたアドレス情報を持つ情報ディスクに記録再生することが可能な情報ディスク記録再生装置が、前記情報ディスクの回転を制御する回転制御手段と、前記回転制御手段を制御して、前記情報ディスクに記録再生する予め定めた複数の記録再生速度を切り替え可能な記録再生速度制御手段と、前記情報ディスクが回転したときの前記情報ディスク記録再生装置の加速度を検出する加速度検出手段と、前記加速度検出手段の検出結果が予め定めた値以下になる回転速度か、前記情報ディスク記録再生装置の予め定めた最高回転速度か、いずれか小さい方を、前記情報ディスクの最高回転速度として、前記情報ディスクにデータを記録再生するときに、前記情報ディスクの内周側から外周側に向かって記録再生を行うとともに、前記情報ディスクの回転速度が、記録再生速度切り替え後に前記情報ディスクの最高回転速度以下となるような回転速度まで低下したのちに、前記記録再生速度制御手段を制御して記録再生速度を切り替える制御手段とを備えたものである。
【００２０】
これによれば、記録再生を行いながらディスクの回転速度を監視して、記録再生速度切り替え後に記録再生装置のディスクが回転したときの振動による実際の加速度が予め定めた値以下である回転速度か、ディスク装置の予め定めた最高回転速度かの、いずれか小さい方を、システムの最高回転速度として、その速度を越えない状態になったのちに記録再生速度を切り替えるので、振動による加速度にもとづく記録再生への障害を防止するようにしながら、ディスクごとに最短の記録再生時間で記録再生を行うことができる情報ディスク記録再生装置を提供することができる。
【００２１】
請求項６に係る本発明は、情報トラックが螺旋状に形成されるとともに線記録密度一定方式でフォーマットされたアドレス情報を持つ情報ディスクに記録再生することが可能な情報ディスク記録再生装置が、前記情報ディスクの回転を制御する回転制御手段と、前記回転制御手段を制御して、前記情報ディスクに記録再生する予め定めた複数の記録再生速度を切り替え可能な記録再生速度制御手段と、前記情報ディスクが回転したときの前記情報ディスク記録再生装置の振動を検出する振動検出手段と、前記振動検出手段の検出結果が予め定めた値以下になる回転速度か、前記情報ディスク記録再生装置の予め定めた最高回転速度か、いずれか小さい方を、前記情報ディスクの最高回転速度として、前記情報ディスクにデータを記録再生するときに、前記情報ディスクの内周側から外周側に向かって記録再生を行うとともに、前記情報ディスクの回転速度が、記録再生速度切り替え後に前記情報ディスクの最高回転速度以下となるような回転速度まで低下したのちに、前記記録再生速度制御手段を制御して記録再生速度を切り替える制御手段とを備えたものである。
【００２２】
これによれば、記録再生を行いながらディスクの回転速度を監視して、記録再生速度切り替え後に記録再生装置のディスクが回転したときの振動量が予め定めた値以下である回転速度か、ディスク装置の予め定めた最高回転速度かの、いずれか小さい方を、システムの最高回転速度として、その速度を越えない状態になったのちに記録再生速度を切り替えるので、振動量が一定以上にならないように設定したシステムの許容最高回転速度を越えないようにしながら、ディスクごとに最短の記録再生時間で記録再生を行うことができる情報ディスク記録再生装置を提供することができる。
【００２３】
請求項７に係る本発明は、情報トラックが螺旋状に形成されるとともに線記録密度一定方式でフォーマットされたアドレス情報を持つ情報ディスクに記録再生することが可能な情報ディスク記録再生装置が、前記情報ディスクの回転を制御する回転制御手段と、前記回転制御手段を制御して、前記情報ディスクに記録再生する予め定めた複数の記録再生速度を切り替え可能な記録再生速度制御手段と、前記情報ディスクが回転したときの前記情報ディスク記録再生装置の加速度を検出する加速度検出手段と、前記情報ディスクが回転したときの前記情報ディスク記録再生装置の振動を検出する振動検出手段と、前記加速度検出手段の検出結果が予め定めた値以下になる回転速度か、前記振動検出手段の検出結果が予め定めた値以下になる回転速度か、前記情報ディスク記録再生装置の予め定めた最高回転速度かの、いずれか小さい回転速度を、前記情報ディスクの最高回転速度として、前記情報ディスクにデータを記録再生するときに、前記情報ディスクの内周側から外周側に向かって記録再生を行うとともに、前記情報ディスクの回転速度が、記録再生速度切り替え後に前記情報ディスクの最高回転速度以下となるような回転速度まで低下したのちに、前記記録再生速度制御手段を制御して記録再生速度を切り替える制御手段とを備えるようにしたものである。
【００２４】
これによれば、記録再生を行いながらディスクの回転速度を監視して、記録再生速度切り替え後に記録再生装置のディスクが回転したときの振動による実際の加速度が予め定めた値以下である回転速度か、記録再生速度切り替え後に記録再生装置のディスクが回転したときの振動量が予め定めた値以下である回転速度か、ディスク装置の予め定めた最高回転速度かの、いずれか小さい回転速度を、システムの最高回転速度として、その速度を越えない状態になったのちに記録再生速度を切り替えるので、振動による加速度にもとづく記録再生への障害を防止し、振動量が一定以上になるのを防止しながら、ディスクごとに最短の記録再生時間で記録再生を行うことができる情報ディスク記録再生装置を提供することができる。
【００２５】
請求項８に係る本発明は、上記において、制御手段は、情報ディスクにデータを記録再生するときに、
情報ディスクの回転速度：Ｒ１
情報ディスクの最高回転速度：Ｒｍａｘ２
記録再生速度切り替え前の記録再生速度：Ｖｍ１
記録再生速度切り替え後の記録再生速度：Ｖｍ２
として、
【００２６】
【数１】
2005243054.tif 000003
となったのちに記録再生速度を切り替えるように構成されているものである。
【００２７】
これによれば、記録再生を行いながらディスクの回転速度を監視して、システムの許容最高回転速度を越えない状態であるうちに記録再生速度を切り替えるので、システムの許容最高回転速度を越えないようにしながらディスクごとに最短の記録再生時間で記録再生を行うことができる情報ディスク記録再生装置を提供することができる。
【００２８】
請求項９に係る本発明は、情報トラックが螺旋状に形成されるとともに線記録密度一定方式でフォーマットされたアドレス情報を持つ情報ディスクに記録再生することが可能な情報ディスク記録再生装置が、前記情報ディスクの回転を制御する回転制御手段と、前記回転制御手段を制御して、前記情報ディスクに記録再生する予め定めた複数の記録再生速度を切り替え可能な記録再生速度制御手段と、前記情報ディスクが回転したときの前記情報ディスク記録再生装置の加速度を検出する加速度検出手段と、前記加速度検出手段の検出結果が予め定めた値以下になる回転速度か、前記情報ディスク記録再生装置の予め定めた最高回転速度か、いずれか小さい方を、前記情報ディスクの最高回転速度として、前記情報ディスクにデータを記録再生するときに、前記情報ディスクの外周側から内周側に向かって記録再生を行うとともに、前記情報ディスクの回転速度が前記情報ディスクの最高回転速度にほぼ等しい回転速度まで上昇したときに、前記記録再生速度制御手段を制御して記録再生速度を切り替える制御手段とを備えたものである。
【００２９】
これによれば、記録再生を行いながらディスクの回転速度を監視して、記録再生速度切り替え後に記録再生装置のディスクが回転したときの振動による実際の加速度が予め定めた値以下である回転速度か、ディスク装置の予め定めた最高回転速度かの、いずれか小さい方を、システムの最高回転速度として、その速度を越えない状態になったのちに記録再生速度を切り替えるので、振動による加速度にもとづく記録再生への障害を防止するようにしながら、ディスクごとに最短の記録再生時間で記録再生を行うことができる情報ディスク記録再生装置を提供することができる。
【００３０】
請求項１０に係る本発明は、情報トラックが螺旋状に形成されるとともに線記録密度一定方式でフォーマットされたアドレス情報を持つ情報ディスクに記録再生することが可能な情報ディスク記録再生装置が、前記情報ディスクの回転を制御する回転制御手段と、前記回転制御手段を制御して、前記情報ディスクに記録再生する予め定めた複数の記録再生速度を切り替え可能な記録再生速度制御手段と、前記情報ディスクが回転したときの前記情報ディスク記録再生装置の振動を検出する振動検出手段と、前記振動検出手段の検出結果が予め定めた値以下になる回転速度か、前記情報ディスク記録再生装置の予め定めた最高回転速度か、いずれか小さい方を、前記情報ディスクの最高回転速度として、前記情報ディスクにデータを記録再生するときに、前記情報ディスクの外周側から内周側に向かって記録再生を行うとともに、前記情報ディスクの回転速度が前記情報ディスクの最高回転速度にほぼ等しい回転速度まで上昇したときに、前記記録再生速度制御手段を制御して記録再生速度を切り替える制御手段とを備えたものである。
【００３１】
これによれば、記録再生を行いながらディスクの回転速度を監視して、記録再生速度切り替え後に記録再生装置のディスクが回転したときの振動量が予め定めた値以下である回転速度か、ディスク装置の予め定めた最高回転速度かの、いずれか小さい方を、システムの最高回転速度として、その速度を越えない状態になったのちに記録再生速度を切り替えるので、振動量が一定以上にならないように設定したシステムの許容最高回転速度を越えないようにしながら、ディスクごとに最短の記録再生時間で記録再生を行うことができる情報ディスク記録再生装置を提供することができる。
【００３２】
請求項１１に係る本発明は、情報トラックが螺旋状に形成されるとともに線記録密度一定方式でフォーマットされたアドレス情報を持つ情報ディスクに記録再生することが可能な情報ディスク記録再生装置が、前記情報ディスクの回転を制御する回転制御手段と、前記回転制御手段を制御して、前記情報ディスクに記録再生する予め定めた複数の記録再生速度を切り替え可能な記録再生速度制御手段と、前記情報ディスクが回転したときの前記情報ディスク記録再生装置の加速度を検出する加速度検出手段と、前記情報ディスクが回転したときの前記情報ディスク記録再生装置の振動を検出する振動検出手段と、前記加速度検出手段の検出結果が予め定めた値以下になる回転速度か、前記振動検出手段の検出結果が予め定めた値以下になる回転速度か、前記情報ディスク記録再生装置の予め定めた最高回転速度かの、いずれか小さい回転速度を、前記情報ディスクの最高回転速度として、前記情報ディスクにデータを記録再生するときに、前記情報ディスクの外周側から内周側に向かって記録再生を行うとともに、前記情報ディスクの回転速度が前記情報ディスクの最高回転速度にほぼ等しい回転速度まで上昇したときに、前記記録再生速度制御手段を制御して記録再生速度を切り替える制御手段とを備えたものである。
【００３３】
これによれば、記録再生を行いながらディスクの回転速度を監視して、記録再生速度切り替え後に記録再生装置のディスクが回転したときの振動による実際の加速度が予め定めた値以下である回転速度か、記録再生速度切り替え後に記録再生装置のディスクが回転したときの振動量が予め定めた値以下である回転速度か、ディスク装置の予め定めた最高回転速度かの、いずれか小さい回転速度を、システムの最高回転速度として、その速度を越えない状態になったのちに記録再生速度を切り替えるので、振動による加速度にもとづく記録再生への障害を防止し、振動量が一定以上になるのを防止しながら、ディスクごとに最短の記録再生時間で記録再生を行うことができる情報ディスク記録再生装置を提供することができる。
【００３４】
請求項１２に係る本発明は、上記において、制御手段を、記録動作を行うときは、加速度検出手段の検出結果が予め定めた値以下になる回転速度と、振動検出手段の検出結果が予め定めた値以下になる回転速度と、ディスク記録再生装置の予め定めた最高回転速度とのうちの最も低い回転速度が動作時の最高回転速度となるように、予め定められかつ切り替え可能な複数の記録速度を選択して使用するように構成するとともに、再生動作を行うときは、振動検出手段の検出結果が予め定めた値以下になる回転速度と、ディスク記録再生装置の予め定めた最高回転速度との小さい方の回転速度が動作時の最高回転速度となるように、予め定められかつ切り替え可能な複数の再生速度を選択して使用するように構成したものである。
【００３５】
これによれば、記録時は、記録を行いながらディスクの回転速度を監視して、記録速度切り替え後に記録再生装置のディスクが回転したときの振動による実際の加速度が予め定めた値以下である回転速度と、記録速度切り替え後に記録再生装置のディスクが回転したときの振動量が予め定めた値以下である回転速度と、ディスク装置の予め定めた最高回転速度とのうちの、最も低い回転速度を、システムの許容最高回転速度として、その速度を越えない状態になったのちに記録速度を切り替えるので、振動による加速度にもとづく記録への障害を防止し、振動量が一定以上になるのを防止し、設定したシステムの許容最高回転速度を越えないようにしながら、ディスクごとに最短の記録時間で記録を行うことができる。さらに、再生時は、記録再生装置のディスクが回転したときの振動量が予め定めた値以下である回転速度か、ディスク装置の予め定めた最高回転速度か、いずれか小さい方をシステムの許容最高回転速度として、複数の再生速度を選択して切り替えるので、再生時の振動量が一定以上になるのを防止し、設定したシステムの許容最高回転速度を越えないようにしながら最大の再生速度で再生を行うことができる情報ディスク記録再生装置を提供することができる。
【００３６】
請求項１３に係る本発明は、上記において、読取／記録のための参照信号が情報ディスクの情報トラックを横切る際の再生信号に基づいてトラッククロスパルスを生成するトラッククロス検出手段と、前記トラッククロス検出手段により検出されたトラッククロスパルスを計数する計数手段とを備え、加速度検出手段を、トラッキングサーボをオフにしたときの情報ディスクの回転速度と前記トラッククロスパルスの計数の結果とから、現在の回転速度における前記情報トラックと参照信号との間のトラッキング方向の加速度を検出するように構成したものである。
【００３７】
これによれば、特別な加速度検出手段を有しない安価な構成で、記録再生を行いながらディスクの回転速度を監視して、記録再生速度切り替え後に記録再生装置のディスクが回転したときの振動による実際の加速度が予め定めた値以下である回転速度か、ディスク装置の予め定めた最高回転速度かの、いずれか小さい方を、システムの許容最高回転速度として、その速度を越えない状態になったのちに記録再生速度を切り替えるので、振動による加速度にもとづく記録再生への障害を防止するように設定したシステムの許容最高回転速度を越えないようにしながら、ディスクごとに最短の記録再生時間で記録再生を行うことができる情報ディスク記録再生装置を提供することができる。
【００３８】
請求項１４に係る本発明は、読取／記録のための参照信号が情報ディスクの情報トラックを横切る際の再生信号に基づいてトラッククロスパルスを生成するトラッククロス検出手段と、ｎを任意の数として、情報ディスクの回転角度情報を１回転あたりｎ分割された領域に分けて出力する回転角度検出手段と、読取／記録のための参照信号が情報ディスクの情報トラックを横切る方向を表すトラッククロス方向を検出するトラッククロス方向検出手段と、前記トラッククロス方向検出手段の検出結果と前記回転角度情報とに基いて前記トラッククロス検出手段から出力されるトラッククロスパルスを符号付きで計数する計数手段とを備え、振動検出手段を、トラッキングサーボをオフにした状態で、前記情報ディスクを振動が発生しないだけ十分に低い第１の回転速度で回転させたときの前記計数手段の計数結果と、第１の回転速度よりも速い第２の回転速度で前記情報ディスクを回転させたときの前記計数手段の計数結果とを比較することにより、前記第２の回転速度での振動量を検出するように構成したものである。
【００３９】
これによれば、特別な振動検出手段を有しない安価な構成で、記録再生を行いながらディスクの回転速度を監視して、記録再生速度切り替え後に記録再生装置のディスクが回転したときの振動量が予め定めた値以下である回転速度か、ディスク装置の予め定めた最高回転速度かのいずれか小さい方を、もしくは、記録再生を行いながらディスクの回転速度を監視して、記録再生速度切り替え後に記録再生装置のディスクが回転したときの振動による実際の加速度が予め定めた値以下である回転速度か、記録再生速度切り替え後に記録再生装置のディスクが回転したときの振動量が予め定めた値以下である回転速度か、ディスク装置の予め定めた最高回転速度かの、いずれか小さい回転速度を、システムの許容最高回転速度として、その速度を越えない状態になったのちに記録再生速度を切り替えるので、振動による加速度にもとづく記録再生への障害を防止し、振動量が一定以上になるのを防止し、さらに設定したシステムの許容最高回転速度を越えないようにしながら、ディスクごとに最短の記録再生時間で記録再生を行うことができる情報ディスク記録再生装置を提供することができる。
【００４０】
請求項１５に係る本発明は、情報トラックが螺旋状に形成されるとともに線記録密度一定方式でフォーマットされたアドレス情報を持つ情報ディスクに記録再生することが可能な情報ディスク記録再生装置において、前記情報ディスクへデータを記録再生する場合に、前記ディスクの回転速度が予め定めた値となったときに、前記情報ディスクに記録再生する記録再生速度を、予め定めた複数の記録再生速度のいずれかに切り替えるものである。
【００４１】
このようにすれば、記録再生を行いながらディスクの回転速度を監視して、その記録再生速度を切り替えるものであるため、システムの許容最高回転速度を越えないようにしながら、ディスクごとに最短の記録再生時間で記録再生を行うことができる。
【００４２】
請求項１６に係る本発明は、上記において、情報ディスクにデータを記録再生するときに、前記情報ディスクの内周側から外周側に向かって記録再生を行うとともに、前記情報ディスクの回転速度が予め定めた値以下となったときに記録再生速度を切り替えるものである。
【００４３】
このようにすれば、記録再生を行いながらディスクの回転速度を監視して、その記録再生速度を切り替えるものであるため、システムの許容最高回転速度を越えないようにしながら、ディスクごとに最短の記録再生時間で記録再生を行うことができる。
【００４４】
請求項１７に係る本発明は、上記において、情報ディスクにデータを記録再生するときに、前記情報ディスクの外周側から内周側に向かって記録再生を行うとともに、前記情報ディスクの回転速度が予め定めた値以上となったときに記録再生速度を切り替えるものである。
【００４５】
このようにすれば、記録再生を行いながらディスクの回転速度を監視して、その記録再生速度を切り替えるものであるため、システムの許容最高回転速度を越えないようにしながら、ディスクごとに最短の記録再生時間で記録再生を行うことができる。
【００４６】
請求項１８に係る本発明は、上記において、情報ディスクにデータを記録再生するときに、前記情報ディスクの回転速度が、記録再生速度切り替え後にディスク装置の予め定めた最高回転速度以下となるような回転速度となったのちに、記録再生速度を切り替えるものである。
【００４７】
このようにすれば、記録再生を行いながらディスクの回転速度を監視して、システムの許容最高回転速度を越えない状態であるうちに記録再生速度を切り替えるので、システムの許容最高回転速度を越えないようにしながらディスクごとに最短の記録再生時間で記録再生を行うことができる。
【００４８】
請求項１９に係る本発明は、情報トラックが螺旋状に形成されるとともに線記録密度一定方式でフォーマットされたアドレス情報を持つ情報ディスクに記録再生することが可能な情報ディスク記録再生装置において、前記情報ディスクが回転したときの前記情報ディスク記録再生装置の加速度が予め定めた値以下になる回転速度か、前記情報ディスク記録再生装置の予め定めた最高回転速度か、いずれか小さい方を、前記情報ディスクの最高回転速度として、前記情報ディスクにデータを記録再生するときに、前記情報ディスクの内周側から外周側に向かって記録再生を行うとともに、前記情報ディスクの回転速度が、記録再生速度切り替え後に前記情報ディスクの最高回転速度以下となるような回転速度まで低下したのちに、前記情報ディスクに記録再生する記録再生速度を、予め定めた複数の記録再生速度のいずれかに切り替えるものである。
【００４９】
このようにすれば、記録再生を行いながらディスクの回転速度を監視して、記録再生速度切り替え後に記録再生装置のディスクが回転したときの振動による実際の加速度が予め定めた値以下である回転速度か、ディスク装置の予め定めた最高回転速度かの、いずれか小さい方を、システムの最高回転速度として、その速度を越えない状態になったのちに記録再生速度を切り替えるので、振動による加速度にもとづく記録再生への障害を防止するようにしながら、ディスクごとに最短の記録再生時間で記録再生を行うことができる。
【００５０】
請求項２０に係る本発明は、情報トラックが螺旋状に形成されるとともに線記録密度一定方式でフォーマットされたアドレス情報を持つ情報ディスクに記録再生することが可能な情報ディスク記録再生装置において、前記情報ディスクが回転したときの前記情報ディスク記録再生装置の振動が予め定めた値以下になる回転速度か、前記情報ディスク記録再生装置の予め定めた最高回転速度か、いずれか小さい方を、前記情報ディスクの最高回転速度として、前記情報ディスクにデータを記録再生するときに、前記情報ディスクの内周側から外周側に向かって記録再生を行うとともに、前記情報ディスクの回転速度が、記録再生速度切り替え後に前記情報ディスクの最高回転速度以下となるような回転速度まで低下したのちに、前記情報ディスクに記録再生する記録再生速度を、予め定めた複数の記録再生速度のいずれかに切り替えるものである。
【００５１】
このようにすれば、記録再生を行いながらディスクの回転速度を監視して、記録再生速度切り替え後に記録再生装置のディスクが回転したときの振動量が予め定めた値以下である回転速度か、ディスク装置の予め定めた最高回転速度かの、いずれか小さい方を、システムの最高回転速度として、その速度を越えない状態になったのちに記録再生速度を切り替えるので、振動量が一定以上にならないように設定したシステムの許容最高回転速度を越えないようにしながら、ディスクごとに最短の記録再生時間で記録再生を行うことができる。
【００５２】
請求項２１に係る本発明は、情報トラックが螺旋状に形成されるとともに線記録密度一定方式でフォーマットされたアドレス情報を持つ情報ディスクに記録再生することが可能な情報ディスク記録再生装置において、前記情報ディスクが回転したときの前記情報ディスク記録再生装置の加速度が予め定めた値以下になる回転速度か、前記情報ディスクが回転したときの前記情報ディスク記録再生装置の振動が予め定めた値以下になる回転速度か、前記情報ディスク記録再生装置の予め定めた最高回転速度か、いずれか小さい回転速度を、前記情報ディスクの最高回転速度として、前記情報ディスクにデータを記録再生するときに、前記情報ディスクの内周側から外周側に向かって記録再生を行うとともに、前記情報ディスクの回転速度が、記録再生速度切り替え後に前記情報ディスクの最高回転速度以下となるような回転速度まで低下したのちに、前記情報ディスクに記録再生する記録再生速度を、予め定めた複数の記録再生速度のいずれかに切り替えるものである。
【００５３】
このようにすれば、記録再生を行いながらディスクの回転速度を監視して、記録再生速度切り替え後に記録再生装置のディスクが回転したときの振動による実際の加速度が予め定めた値以下である回転速度か、記録再生速度切り替え後に記録再生装置のディスクが回転したときの振動量が予め定めた値以下である回転速度か、ディスク装置の予め定めた最高回転速度かの、いずれか小さい回転速度を、システムの最高回転速度として、その速度を越えない状態になったのちに記録再生速度を切り替えるので、振動による加速度にもとづく記録再生への障害を防止し、振動量が一定以上になるのを防止しながら、ディスクごとに最短の記録再生時間で記録再生を行うことができる。
【００５４】
請求項２２に係る本発明は、情報ディスクにデータを記録再生するときに、
情報ディスクの回転速度：Ｒ１
情報ディスクの最高回転速度：Ｒｍａｘ２
記録再生速度切り替え前の記録再生速度：Ｖｍ１
記録再生速度切り替え後の記録再生速度：Ｖｍ２
として、
【００５５】
【数１】
2005243054.tif 000004
となったのちに記録再生速度を切り替えるものである。
【００５６】
このようにすれば、記録再生を行いながらディスクの回転速度を監視して、システムの許容最高回転速度を越えない状態であるうちに記録再生速度を切り替えるので、システムの許容最高回転速度を越えないようにしながらディスクごとに最短の記録再生時間で記録再生を行うことができる。
【００５７】
請求項２３に係る本発明は、情報トラックが螺旋状に形成されるとともに線記録密度一定方式でフォーマットされたアドレス情報を持つ情報ディスクに記録再生することが可能な情報ディスク記録再生装置において、前記情報ディスクが回転したときの前記情報ディスク記録再生装置の加速度が予め定めた値以下になる回転速度か、前記情報ディスク記録再生装置の予め定めた最高回転速度か、いずれか小さい方を、前記情報ディスクの最高回転速度として、前記情報ディスクにデータを記録再生するときに、前記情報ディスクの外周側から内周側に向かって記録再生を行うとともに、前記情報ディスクの回転速度が前記情報ディスクの最高回転速度にほぼ等しい回転速度まで上昇したときに、前記情報ディスクに記録再生する記録再生速度を、予め定めた複数の記録再生速度のいずれかに切り替えるものである。
【００５８】
このようにすれば、記録再生を行いながらディスクの回転速度を監視して、記録再生速度切り替え後に記録再生装置のディスクが回転したときの振動による実際の加速度が予め定めた値以下である回転速度か、ディスク装置の予め定めた最高回転速度かの、いずれか小さい方を、システムの最高回転速度として、その速度を越えない状態になったのちに記録再生速度を切り替えるので、振動による加速度にもとづく記録再生への障害を防止するようにしながら、ディスクごとに最短の記録再生時間で記録再生を行うことができる。
【００５９】
請求項２４に係る本発明は、情報トラックが螺旋状に形成されるとともに線記録密度一定方式でフォーマットされたアドレス情報を持つ情報ディスクに記録再生することが可能な情報ディスク記録再生装置において、前記情報ディスクが回転したときの前記情報ディスク記録再生装置の振動が予め定めた値以下になる回転速度か、前記情報ディスク記録再生装置の予め定めた最高回転速度か、いずれか小さい方を、前記情報ディスクの最高回転速度として、前記情報ディスクにデータを記録再生するときに、前記情報ディスクの外周側から内周側に向かって記録再生を行うとともに、前記情報ディスクの回転速度が前記情報ディスクの最高回転速度にほぼ等しい回転速度まで上昇したときに、前記情報ディスクに記録再生する記録再生速度を、予め定めた複数の記録再生速度のいずれかに切り替えるものである。
【００６０】
このようにすれば、記録再生を行いながらディスクの回転速度を監視して、記録再生速度切り替え後に記録再生装置のディスクが回転したときの振動量が予め定めた値以下である回転速度か、ディスク装置の予め定めた最高回転速度かの、いずれか小さい方を、システムの最高回転速度として、その速度を越えない状態になったのちに記録再生速度を切り替えるので、振動量が一定以上にならないように設定したシステムの許容最高回転速度を越えないようにしながら、ディスクごとに最短の記録再生時間で記録再生を行うことができる。
【００６１】
請求項２５に係る本発明は、情報トラックが螺旋状に形成されるとともに線記録密度一定方式でフォーマットされたアドレス情報を持つ情報ディスクに記録再生することが可能な情報ディスク記録再生装置において、前記情報ディスクが回転したときの前記情報ディスク記録再生装置の加速度が予め定めた値以下になる回転速度か、前記情報ディスクが回転したときの前記情報ディスク記録再生装置の振動が予め定めた値以下になる回転速度か、前記情報ディスク記録再生装置の予め定めた最高回転速度か、いずれか小さい回転速度を、前記情報ディスクの最高回転速度として、前記情報ディスクにデータを記録再生するときに、前記情報ディスクの外周側から内周側に向かって記録再生を行うとともに、前記情報ディスクの回転速度が前記情報ディスクの最高回転速度にほぼ等しい回転速度まで上昇したときに、前記情報ディスクに記録再生する記録再生速度を、予め定めた複数の記録再生速度のいずれかに切り替えるものである。
【００６２】
このようにすれば、記録再生を行いながらディスクの回転速度を監視して、記録再生速度切り替え後に記録再生装置のディスクが回転したときの振動による実際の加速度が予め定めた値以下である回転速度か、記録再生速度切り替え後に記録再生装置のディスクが回転したときの振動量が予め定めた値以下である回転速度か、ディスク装置の予め定めた最高回転速度かの、いずれか小さい回転速度を、システムの最高回転速度として、その速度を越えない状態になったのちに記録再生速度を切り替えるので、振動による加速度にもとづく記録再生への障害を防止し、振動量が一定以上になるのを防止しながら、ディスクごとに最短の記録再生時間で記録再生を行うことができる。
【００６３】
請求項２６に係る本発明は、上記において、記録動作を行うときは、加速度検出手段の検出結果が予め定めた値以下になる回転速度と、振動検出手段の検出結果が予め定めた値以下になる回転速度と、ディスク記録再生装置の予め定めた最高回転速度とのうちの最も低い回転速度が動作時の最高回転速度となるように、予め定められかつ切り替え可能な複数の記録速度を選択して使用し、再生動作を行うときは、振動検出手段の検出結果が予め定めた値以下になる回転速度と、ディスク記録再生装置の予め定めた最高回転速度との小さい方の回転速度が動作時の最高回転速度となるように、予め定められかつ切り替え可能な複数の再生速度を選択して使用するものである。
【００６４】
このようにすれば、記録時は、記録を行いながらディスクの回転速度を監視して、記録速度切り替え後に記録再生装置のディスクが回転したときの振動による実際の加速度が予め定めた値以下である回転速度と、記録速度切り替え後に記録再生装置のディスクが回転したときの振動量が予め定めた値以下である回転速度と、ディスク装置の予め定めた最高回転速度とのうちの最も低い回転速度を、システムの許容最高回転速度として、その速度を越えない状態になったのちに記録速度を切り替えるので、振動による加速度にもとづく記録再生への障害を防止し、設定したシステムの許容最高回転速度を越えないようにしながら、ディスクごとに最短の記録時間で記録を行うことができる。また、再生時は、記録再生装置のディスクが回転したときの振動量が予め定めた値以下である回転速度か、ディスク装置の予め定めた最高回転速度か、いずれか小さい方をシステムの許容最高回転速度として、複数の再生速度を選択して切り替えるので、再生時の振動量が一定以上になるのを防止し、設定したシステムの許容最高回転速度を越えないようにしながら最大の再生速度で再生を行うことができる。
【００６５】
請求項２７に係る本発明は、上記において、読取／記録のための参照信号が情報ディスクの情報トラックを横切る際の再生信号に基づいてトラッククロスパルスを生成し、検出されたトラッククロスパルスを計数し、トラッキングサーボをオフにしたときの情報ディスクの回転速度と前記トラッククロスパルスの計数の結果とから、現在の回転速度における前記情報トラックと参照信号との間のトラッキング方向の加速度を検出するものである。
【００６６】
このようにすれば、特別な加速度検出手段を有しない安価な構成で、記録再生を行いながらディスクの回転速度を監視して、記録再生速度切り替え後に記録再生装置のディスクが回転したときの振動による実際の加速度が予め定めた値以下である回転速度か、ディスク装置の予め定めた最高回転速度かの、いずれか小さい方を、システムの許容最高回転速度として、その速度を越えない状態になったのちに記録再生速度を切り替えるので、振動による加速度にもとづく記録再生への障害を防止するように設定したシステムの許容最高回転速度を越えないようにしながら、ディスクごとに最短の記録再生時間で記録再生を行うことができる。
【００６７】
請求項２８に係る本発明は、上記において、読取／記録のための参照信号が情報ディスクの情報トラックを横切る際の再生信号に基づいてトラッククロスパルスを生成し、ｎを任意の数として、情報ディスクの回転角度情報を１回転あたりｎ分割された領域に分けて出力し、読取／記録のための参照信号が情報ディスクの情報トラックを横切る方向を表すトラッククロス方向を検出し、前記トラッククロス方向の検出結果と前記回転角度情報とに基いて前記トラッククロスパルスを符号付きで計数し、トラッキングサーボをオフにした状態で、前記情報ディスクを振動が発生しないだけ十分に低い第１の回転速度で回転させたときの前記トラッククロスパルスの計数結果と、第１の回転速度よりも速い第２の回転速度で前記情報ディスクを回転させたときの前記トラッククロスパルス計数手段の計数結果とを比較することにより、前記第２の回転速度での振動量を検出するものである。
【００６８】
このようにすれば、特別な振動検出手段を有しない安価な構成で、記録再生を行いながらディスクの回転速度を監視して、記録再生速度切り替え後に記録再生装置のディスクが回転したときの振動量が予め定めた値以下である回転速度か、ディスク装置の予め定めた最高回転速度かのいずれか小さい方を、もしくは、記録再生を行いながらディスクの回転速度を監視して、記録再生速度切り替え後に記録再生装置のディスクが回転したときの振動による実際の加速度が予め定めた値以下である回転速度か、記録再生速度切り替え後に記録再生装置のディスクが回転したときの振動量が予め定めた値以下である回転速度か、ディスク装置の予め定めた最高回転速度かの、いずれか小さい回転速度を、システムの許容最高回転速度として、その速度を越えない状態になったのちに記録再生速度を切り替えるので、振動による加速度にもとづく記録再生への障害を防止し、振動量が一定以上になるのを防止し、さらに設定したシステムの許容最高回転速度を越えないようにしながら、ディスクごとに最短の記録再生時間で記録再生を行うことができる。
（実施の形態１）
以下に、本発明の実施の形態１について、図１を用いて説明する。
【００６９】
図１は本発明をＣＤ−Ｒ／ＲＷ記録再生装置に適用した場合のブロック図である。ここで、１は情報ディスク記録再生装置である。２は情報ディスクで、情報トラックが螺旋状に形成されており、線速度一定方式でフォーマットされたアドレス情報を持っている。このようなものとして、たとえばＣＤ−Ｒ、ＣＤ−ＲＷ、ＤＶＤ−Ｒ、ＤＶＤ−ＲＷ、ＤＶＤ＋Ｒ、ＤＶＤ＋ＲＷなどの記録再生型光ディスクなどが考えられる。本実施の形態では、ＣＤ−Ｒ、ＣＤ−ＲＷディスクに記録を行う場合を例に説明する。
【００７０】
ＣＤ−Ｒ、ＲＷディスクはランド／グルーブと呼ばれる溝が螺旋状に形成されており、この溝のウォブリングによりアドレス情報が線速度一定フォーマットで予め記録されている。３はディスクモータ、４はたとえばディスクモータドライバなどのディスク回転手段である。ディスク回転手段４は、ディスクモータ３を回転させることで、ディスクモータ３上に設置された情報ディスク２を回転させる。５は回転速度検出手段で、ディスクモータ３の回転速度を検出する。回転速度検出手段５としては、たとえばホール素子を用いて回転位置ごとにＦＧパルスを出力する方法や、ディスクモータ３の回転体にエンコーダを取り付けて光学的に回転速度を検出する方法などを用いたものがある。６は読取／記録手段で、たとえば読取／記録兼用光学ヘッド１２、記録データ生成回路１３により構成される。情報ディスク２からの再生信号の読取は、読取／記録兼用光学ヘッド１２より情報ディスク２に射出されたレーザの反射光を検出、演算することで行われる。同時に反射光より演算した信号によりトラッキング／フォーカシングサーボの制御も行うが、そのための詳細は図１では省略してある。７はアドレス情報生成手段で、読取／記録兼用光学ヘッド１２からの再生信号よりアドレス情報を抽出する。ＣＤ−Ｒ／ＲＷディスクの場合は、溝のウォブリングを抽出した再生信号よりＡＴＩＰ情報と呼ばれる情報を抽出し、ディスク上のアドレス情報とする。１０は記録速度制御手段で、制御手段１１にて決定された所定の記録データレートの何倍の速度で記録を行うかの値により、アドレス情報生成手段７にて生成されるアドレス情報のデータレートが所定の記録データレートの一定倍になるように記録速度制御手段１０に指令を与え、ディスク回転制御手段８によりディスク回転手段４を制御して、線速度一定で情報ディスク２を回転させる。同時に、情報ディスク記録再生装置１への入力にもとづき、アドレス情報生成手段７で生成されたアドレス情報に同期するように、読取／記録手段６の記録データ生成手段１３を制御して記録データを生成し、読取／記録兼用光学ヘッド１２よりのレーザ光制御により、記録可能な情報ディスク２に記録を行う。このとき、アドレス情報生成手段７より生成されるアドレス情報のデータレートは所定の記録データレートの一定倍になっているので、記録速度も所定のデータレートの一定倍となる。
【００７１】
次に、本発明にもとづき実際に記録速度を切り替えながら順次記録を行う動作について、情報ディスク２の内周から外周に向かって記録を行う場合を例に説明する。
たとえば情報ディスク記録再生装置１の記録速度を所定のデータレートの４、８、１６、２４倍として記録を行う場合は、最内周での記録速度をまず決定する必要がある。
【００７２】
ある記録速度における、あるアドレス位置でのディスク回転速度Ｖrpmは、Ｒ：情報ディスク２の記録領域の最内周の半径（規格により既知  ＣＤ−ＲＯＭの場合０．０２４９±０．００２ｍ）、Ｔｐ：トラックピッチ、ＡＤｕｎｉｔ：単位時間に含まれるアドレス数（ＣＤでは７５）、ＡＤ：現在アドレス、Ｖ１：情報ディスク２の線速度、Ｖｄ：記録速度とすると、
【００７３】
【数２】
2005243054.tif 000005
で表すことができる。
【００７４】
記録開始位置では、現在アドレスＡＤがゼロである場合には、トラックピッチに無関係となり、
【００７５】
【数３】
2005243054.tif 000006
と表すことができる。
【００７６】
情報ディスク２の線速度は、特別なハードウエアを用いなくても容易に測定することができる。たとえば、情報ディスク２が装置に装填されたときに、情報ディスク２の最内周付近で現在のアドレス情報を読み取り、読取／記録兼用光学ヘッド１２を１トラック内周側に強制的に移送して再び同じアドレス位置を検出するまでの時間をカウントすることにより求めることができる。このほかにも様々な方法が考えられる。あるいは、線速度を求めなくても、許容された線速度範囲内で最も情報ディスク２の回転速度が高くなる線速度値を用いても、同様に実施可能である。ここでは、情報ディスク２の線速度を、ＣＤ−ＲＯＭディスクの標準値である１．２ｍ／ｓであるとして計算を行う。
【００７７】
たとえば、予め定めたシステムの許容最高回転速度が４８００ｒｐｍであったとすると、各記録倍速での記録開始位置での回転速度は、最内周径が最も回転速度が高くなる０．０２４９−０．００２ｍであった場合には、
【００７８】
【表１】
2005243054.tif 000007
であるので、最内周の記録速度は８倍速を選択することになる。
【００７９】
この他にも、記録開始位置でシステムの許容最高回転速度以下のある回転速度で情報ディスク２を回転させたときのデータレートを測定し、測定したデータレートと記録速度に対するある回転速度とシステムの許容最高回転速度との比の比較から、最内周の記録開始速度を求めることも可能である。
【００８０】
情報ディスク２は線速度一定でフォーマットされているので、このフォーマットされたアドレス情報に対して所定のデータレートの８倍速になるように制御を行いながら記録動作を行うと、最内周で最も回転速度が高く外周に向かうに従って回転速度が低下する。ここで、制御手段１１は、順次記録を行いながら、回転速度検出手段５により現在のディスク回転速度を監視し、予め定めた回転速度以下になった時点でいったん記録を中断する。そして、データレートを１６倍速になるように制御を切り替えたのち、８倍速で記録を中断した続きから記録を再開する。次に外周に向かって１６倍速で記録を行い、現在のディスク回転速度が予め定めた回転速度以下になった時点で再び記録を一時中断し、データレートを２４倍速に切り替えて最外周まで記録を行う。
【００８１】
記録速度を切り替える回転速度は、次のようにして決定する。すなわち、情報ディスク記録再生装置１では、ディスクモータ３の性能にもとづき回転速度の上限が決まっているので、より高い記録速度に切り替えたときにこの回転速度の上限を越えないような回転速度になったのちに速度の切り替えを行う。従って、速度切り替えを行う回転速度Ｒ０は、許容最高回転速度すなわち回転速度の上限値：Ｒｍａｘ２、切り替え前の記録速度：Ｖｍ１、切り替え後の記録速度：Ｖｍ２ とすると、
【００８２】
【数４】
2005243054.tif 000008
となる。つまり、速度切り替え前後の記録速度とシステムのディスク回転速度の上限値とから求めることができる。たとえば、回転速度の上限値Ｒｍａｘ２が４８００ｒｐｍであるときに、内周から８倍速で記録を行い、１６、２４倍速に切り替えるときのディスク回転速度はそれぞれ、
【００８３】
【数５】
2005243054.tif 000009
【００８４】
【数６】
2005243054.tif 000010
となる。
【００８５】
上記条件で回転速度の切り替えを行ったときのディスク回転速度と記録速度との変化の例を図２に示す。
なお、本実施の形態では情報ディスク２の全面に記録を行う場合を例として説明したが、記録を行うデータ量が少なく全面に記録を行わない場合でも同様に実施可能である。
【００８６】
また、本実施の形態では所定のデータレートの４、８、１６、２４倍速で記録を行う場合を例として説明したが、これ以外のデータレートの組み合わせおよびより多くのデータレートの組み合わせでも同様に実施可能である。
【００８７】
さらに、本実施の形態ではＣＤ−Ｒ／ＲＷ記録再生装置を例として説明したが、螺旋状にトラックが形成されており、かつ線速度一定でフォーマットされたディスクに記録を行うものであれば同様に実施可能である。
【００８８】
さらに、本実施の形態では記録動作を行う場合を例に説明したが、再生動作を行う場合でも同様に実施可能である。
以上のように本実施の形態によれば、記録を行いながらディスクの回転速度を監視して、記録速度の切り替え後にシステムの許容最高回転速度を越えない状態になったのちに次の記録速度に切り替えるので、システムの許容最高回転速度を越えないようにしながら、ディスクごとに最短の記録時間で記録を行うことができる、情報ディスク記録再生装置およびその記録再生速度制御方法を提供することができる。
（実施の形態２）
以下に、本発明の実施の形態２について、図１を用いて説明する。
【００８９】
ここでは、実際に記録速度を切り替えながら順次記録を行う動作について、情報ディスク２の外周から内周に向かって記録を行う場合を例に説明する。
たとえば情報ディスク記録再生装置１において所定のデータレートの４、８、１６、２４倍の記録速度で記録を行う場合は、最外周での記録速度をまず決定する必要がある。
【００９０】
たとえば、２層記録可能ディスクであって、１層目は内周から外周に向かって記録を行い、また２層目は外周から内周に向かって記録を行う場合には、最外周位置において、すでにである記録速度、ある回転速度で記録動作を行っている。このため、通常はそれと同じ記録速度で記録を開始する。
【００９１】
単層若しくは多層ディスクで最初の記録開始位置が最外周であるようなフォーマットの場合は、トラックピッチや線速度の誤差を考慮に入れたうえで、最悪ケース（最も回転速度が高くなる組み合わせ）を想定して記録開始速度を決定する。あるいは、記録開始位置で、システムの許容最高回転速度以下のある回転速度で情報ディスク２を回転させたときのデータレートを測定し、測定したデータレートと記録速度に対するある回転速度とシステムの許容最高回転速度との比の比較から、最外周の記録開始速度を求めることも可能である。
【００９２】
たとえば、予め定めたシステムの許容最高回転速度が４８００ｒｐｍで、２４倍速で外周から記録を始めることができたとする。この場合において、情報ディスク２は線速度一定でフォーマットされているので、このフォーマットされたアドレス情報に対して所定のデータレートの２４倍速になるように制御を行いながら記録動作を行うと、最外周で最も回転速度が低く内周に向かうに従って回転速度が増加する。ここで、制御手段１１は、回転速度検出手段５にて現在のディスク回転速度を監視し、予め定めた回転速度になった時点でいったん記録を中断する。そして、データレートを１６倍速になるように制御を切り替えたのち、２４倍速で記録を中断した続きから記録を再開する。次に同様に１６倍速で内周に向かって記録を行い、ディスク２が予め定めた回転速度になった時点で再び記録を一時中断し、次にデータレートを８倍速に切り替えて記録を行う。
【００９３】
記録速度を切り替える回転速度について説明すると、通常、情報ディスク記録再生装置１ではディスクモータ３の性能にもとづき回転速度の上限が決まっているので、記録中にこの回転速度の上限を越えないうちに記録速度の切り替えを行う必要がある。このため、記録速度を切り替えるときの回転速度は、システムの許容最高回転速度以下の値とするのが望ましい。
【００９４】
本実施の形態にもとづき回転速度の切り替えを行ったときのディスク回転速度と記録速度との変化の例を図３に示す。
なお、本実施の形態では情報ディスクの全面に記録を行う場合を例として説明したが、記録を行うデータ量が少なく全面に記録を行わない場合でも同様に実施可能である。
【００９５】
また、本実施の形態では所定のデータレートの４、８、１６、２４倍速で記録を行う場合を例として説明したが、これ以外のデータレートの組み合わせおよびより多くのデータレートの組み合わせでも同様に実施可能である。
【００９６】
さらに、本実施の形態ではＣＤ−Ｒ／ＲＷ記録再生装置で外周から内周に向かって記録を行う場合を例として説明したが、螺旋状にトラックが形成されており、線速度一定で外周から内周に向かってアドレスが増加するようにフォーマットされたディスクに記録を行う装置であれば、同様に実施可能である。
【００９７】
さらに、本実施の形態では記録動作を行う場合を例に説明したが、再生動作を行う場合でも同様に実施可能である。
さらに、本実施の形態では、記録中に回転速度を監視し、予め定めた回転速度となったのちに記録速度を切り替えるが、記録中に常に回転速度を監視することが困難な場合には、次のように対処することができる。すなわち、予め定めた回転速度に到達すると思われる記録アドレス付近でいったん記録を中断し、そのときの現在の回転速度を確認し、予め定めた回転速度に到達していない場合には、記録速度の切り替えを行わず、記録を中断した箇所から元の記録速度で記録を再開する。そして、その際に、測定した回転速度と記録を一時中断した記録アドレス値から、再度、予め定めた回転速度に到達すると思われる記録アドレス位置を計算して、同様にそのアドレスで記録を一時中断し、そのときの現在の回転速度を確認することを繰り返すことでも、同様に実施可能である。
【００９８】
以上のように本実施の形態によれば、記録を行いながらディスクの回転速度を監視して、システムの許容最高回転速度を越えない状態であるうちに記録速度を切り替えるので、システムの許容最高回転速度を越えないようにしながら、ディスクごとに最短の記録時間で記録を行うことができる、情報ディスク記録再生装置およびその記録再生速度制御方法を提供することができる。
（実施の形態３）
以下に、本発明の実施の形態３について、図４を用いて説明する。ただし、実施の形態１についての図１と同一の構成要素については、重複を避けるためにその詳細な説明を省略する。
【００９９】
ここで、１４は加速度検出手段で、情報ディスク２、ディスクモータ３、読取／記録手段６における、ディスク回転などにもとづく振動や偏心の加速度を検出するものであって、たとえば、情報ディスク２、ディスクモータ３、読取／記録手段６と一体に設置された加速度センサーなどにより実現可能である。もちろん、これ以外の手段であっても、情報ディスク記録再生装置１の振動などによる加速度を直接若しくは間接的に測定するものであれば、同様に用いることが可能である。
【０１００】
光ディスク装置などでは、トラッキング、フォーカス方向のサーボゲインは、通常、ある周波数帯域で一定ゲインとなるように自動的に調整される。このため、ディスク回転にもとづく加速度によるサーボずれ量が一定以上となる場合には、サーボが外れたり、トラッキング／フォーカスのずれ量が大きくなって記録／再生品位に支障がでたりすることが、一般に知られている。よって、設定したサーボゲイン、周波数に対して一定以上の加速度とならないようなディスク回転速度とすることで、常に記録／再生信号の品位を一定以上に保つことが可能になる。たとえば、ディスク回転による振動周波数は、ディスクの回転にほぼ同期すると考えられるので、ディスクの回転速度が４８００ｒｐｍである場合には、８０Ｈｚとなる。８０Ｈｚのもとでのトラッキング／フォーカスゲイン値と目標とするトラッキング／フォーカスずれ量とから、この回転速度での限界加速度値を求めることは、単純な物理計算で容易に実行することができる。
【０１０１】
次に、実際に記録速度を切り替えながら順次記録を行う動作について、情報ディスク２の内周から外周に向かって記録を行う場合を例として説明する。
まず、システムの許容最高回転速度は、実施の形態１で説明したものと同様に、情報ディスク記録再生装置１で予め決められており、この回転速度をＸ１とする。ディスクの回転にもとづく加速度が一定以上となるディスク回転速度は、通常、ディスクが挿入された際や記録を開始する前に、予め、ディスク回転速度を上昇させながら加速度検出手段１４の検出結果が一定値以上になる回転速度を検出することにより求める。回転速度がＸ１となるまで加速しても加速度検出手段１４の検出結果が一定値を越えなければ、このときのシステムの許容最高回転速度は、Ｘ１である。これに対し、予め定めた加速度値を途中で越えれば、そのときの回転速度Ｘ２が、記録時のシステムの許容最高回転速度となる。
【０１０２】
情報ディスク記録再生装置１が所定のデータレートの４、８、１６、２４倍の記録速度で記録が可能な場合には、まず最内周での記録開始速度を決定する。この記録開始速度としては、最内周で記録を開始するときに、先に求めた回転速度Ｘ１かＸ２かいずれか小さい方を越えない範囲で最大の記録速度を選択する。
【０１０３】
たとえば、Ｘ1が４８００ｒｐｍ、Ｘ2が３０００ｒｐｍであったとすると、システムの許容最高回転速度は３０００ｒｐｍとなる。実施の形態１で記載した表１から、最内周での回転速度が３０００ｒｐｍを越えない記録速度は４倍速となる。
【０１０４】
この４倍速で記録を開始したとすると、情報ディスク２は線速度一定でフォーマットされているので、このフォーマットされたアドレス情報に対して所定のデータレートの４倍速になるように制御を行いながら記録動作を行う。すると、最内周で最も回転速度が高く外周に向かうに従って回転速度が低下する。ここで、制御手段１１は、順次記録を行いながら回転速度検出手段５によって現在のディスク回転速度を監視し、予め定めた回転速度以下になった時点でいったん記録を中断する。そして、データレートを８倍速になるように制御を切り替えたのち、４倍速で記録を中断した続きから記録を再開する。
【０１０５】
次に同様に８倍速で外周に向かって記録を行い、現在のディスク回転速度が予め定めた回転速度以下になった時点で再び記録を一時中断し、データレートを１６倍速に切り替えて最外周まで記録を行う。
【０１０６】
記録速度を切り替える回転速度は、Ｘ１またはＸ２の回転速度のうちいずれか小さい方をシステムの記録時の許容最高回転速度とすることで、実施の形態１と同様の方法で求めることができる。
【０１０７】
本実施の形態では、システムの許容最高回転速度が３０００ｒｐｍ、記録速度が４、８、１６倍速となるので、それぞれの切り替え回転速度は、
Ｒmax2＝Ｘ２＝３０００ｒｐｍとして、
【０１０８】
【数７】
2005243054.tif 000011
【０１０９】
【数８】
2005243054.tif 000012
となる。
【０１１０】
本実施の形態にもとづき回転速度の切り替えを行ったときのディスク回転速度と記録速度との変化の例を図５に示す。
本実施の形態では、ディスク回転による加速度が一定以上となるディスク回転速度を求めるために、ディスクが挿入された際や記録を開始する前にディスク回転速度を上昇させながら加速度検出手段１４の検出結果が一定値以上になる回転速度を求める方法を採用している。しかし、これに限らず、加速度検出手段１４にて加速度を測定するディスク回転速度を予め２つ以上用意しておき、それぞれの回転速度で加速度検出手段１４の検出値を取得してしきい値と比較することで、予め用意した２つ以上の回転速度の中から加速度検出手段１４の検出結果が一定値以上にならない回転速度を選択する方法でも、同様に実施可能である。このほかにも、ディスク回転時の加速度が一定値以上にならないように情報ディスク記録再生装置１の最高回転速度を選択しても、同様に実施可能である。
【０１１１】
また、本実施の形態では情報ディスクの全面に記録を行う場合を例に説明したが、記録を行うデータ量が少なく全面に記録を行わない場合でも同様に実施可能である。
さらに、本実施の形態では所定のデータレートの４、８、１６、２４倍速で記録を行うが、これ以外のデータレートの組み合わせおよびより多くのデータレートの組み合わせでも、同様に実施可能である。
【０１１２】
さらに、本実施の形態ではＣＤ−Ｒ／ＲＷ記録再生装置を例に説明したが、螺旋状にトラックが形成されており、線速度一定でフォーマットされたディスクに記録を行う装置であれば、同様に実施可能である。
【０１１３】
さらに、本実施の形態では記録動作を行う場合を例に説明したが、再生動作を行う場合でも同様に実施可能である。
さらに、本実施の形態では、記録中に回転速度を監視し、予め定めた回転速度となったのちに記録速度を切り替えるが、記録中に常に回転速度を監視することが困難な場合には、次のように対処することができる。すなわち、予め定めた回転速度に到達すると思われる記録アドレス付近でいったん記録を中断し、そのときの現在の回転速度を確認し、予め定めた回転速度に到達していない場合には、記録速度の切り替えを行わず、記録を中断した箇所から元の記録速度で記録を再開する。そして、その際に、測定した回転速度と記録を一時中断した記録アドレス値から、再度、予め定めた回転速度に到達すると思われる記録アドレス位置を計算して、同様にそのアドレスで記録を一時中断し、そのときの現在の回転速度を確認することを繰り返すことでも、同様に実施可能である。
【０１１４】
以上のように本実施の形態によれば、記録を行いながらディスクの回転速度を監視して、記録速度の切り替えに際して、システムの許容最高回転速度またはディスク回転時のドライブの加速度が一定値を越えない回転速度のうちのいずれか低い回転速度を、記録時における許容最高回転速度として、記録時に前記の許容最高回転速度を越えない状態になったのちに記録速度を切り替えるので、または記録を行いながらディスクの回転速度を監視して、記録時にシステムの許容最高回転速度を越えない状態であるうちに記録速度を切り替えるので、良好な記録状態を保つためにサーボエラー量が一定以下となるようにしながら、ディスクごとに最短の記録時間で記録を行うことができる情報ディスク記録再生装置およびその記録再生速度制御方法を提供することができる。
（実施の形態４）
以下に、本発明の実施の形態４について、図６を用いて説明する。
【０１１５】
図６は、本発明をＣＤ−Ｒ／ＲＷ記録再生装置に適用した場合の実施の形態のブロック図である。ただし、実施の形態１についての図１と同一の構成要素については、重複を避けるためにその詳細な説明を省略する。
【０１１６】
ここで、１５は振動検出手段で、情報ディスク記録再生装置１の振動、すなわち、情報ディスク２、ディスクモータ３、読取／記録手段６における、ディスク回転などにもとづく振動を検出する。情報ディスク記録再生装置１の振動は、装置に内蔵されるＰＣなどの機器に伝わり、使用者に不快感を与えるだけでなく、振動による騒音などの障害を引き起こすため、一定値以下であることが好ましい。振動検出手段１５は、たとえば、情報ディスク２、ディスクモータ３、読取／記録手段６と一体に設置された振動センサーや加速度センサーの検出値をもとに、振動がディスク２の回転に同期しているものとして積分演算することなどにより、検出を行うことが可能である。もちろん、これ以外の方法でも、情報ディスク記録再生装置１の振動を直接若しくは間接的に測定する手段を用いれば、同様に実施可能である。
【０１１７】
ここで、システムの許容最高回転速度は、実施の形態１の場合と同様に情報ディスク記録再生装置１で予め決められており、この回転速度をＸ１とする。また、ディスク回転による振動が一定以上となるディスク回転速度を求めるときには、通常、ディスク２が挿入された際や記録を開始する前に、ディスク回転速度を上昇させながら、振動検出手段１５の検出結果が一定値以上になる回転速度を予め求める。回転速度がＸ１となるまで加速しても振動検出手段１５の検出結果が一定値を越えなければ、このときのシステムの許容最高回転速度はＸ１、途中で予め定めた振動値を越えればそのときの回転速度Ｘ２が記録時のシステムの許容最高回転速度となる。
【０１１８】
つぎに、情報ディスク記録再生装置１が所定のデータレートの４、８、１６、２４倍の記録速度で記録可能な場合には、まず最内周での記録開始速度を決定する。この記録開始速度は、最内周で記録を開始したときに先に求めた回転速度Ｘ１かＸ２かいずれか小さい方を越えない範囲で最大の記録速度とする。
【０１１９】
たとえば、Ｘ１が４８００ｒｐｍ、Ｘ２が４１００ｒｐｍであったとすると、システムの許容最高回転速度は４１００ｒｐｍとなる。上述の表１から、最内周での回転速度が４１００ｒｐｍを越えない記録速度は８倍速となる。
【０１２０】
８倍速で記録を開始したとすると、情報ディスク２は線速度一定でフォーマットされているので、このフォーマットされたアドレス情報に対して所定のデータレートの８倍速になるように制御を行いながら記録動作を行うと、最内周で最も回転速度が高く、外周に向かうにしたがって回転速度が低下する。ここで、順次記録を行いながら制御手段１１は回転速度検出手段５より現在のディスク回転速度を監視し、予め定めた回転速度以下になった時点でいったん記録を中断する。そして、データレートを１６倍速になるように制御を切り替えたのち、８倍速で記録を中断した続きから記録を再開する。同様に順次１６倍速で外周に向かって記録を行い、現在のディスク回転速度が予め定めた回転速度以下になった時点で再び記録を一時中断し、データレートを２４倍速に切り替えて最外周まで記録を行う。
【０１２１】
記録速度を切り替える回転速度は、Ｘ１またはＸ２の回転速度のうちいずれか小さい方をシステムの記録時の許容最高回転速度とすることで、実施の形態１と同様の方法で求めることができる。
【０１２２】
本実施の形態の例では、システムの許容最高回転速度が４１００ｒｐｍ、記録速度が８、１６、２４倍速となるので、それぞれの切り替え回転速度は、
Ｒmax2＝Ｘ２＝４１００ｒｐｍとして、
【０１２３】
【数９】
2005243054.tif 000013
【０１２４】
【数１０】
2005243054.tif 000014
となる。
【０１２５】
以上のように、本実施の形態では、ディスク回転による振動値が一定以上となるディスク回転速度を求めるために、ディスク２が挿入された際や記録を開始する前にディスク回転速度を上昇させながら振動検出手段１５の検出結果が一定値以上になる回転速度を求める方法を例に説明した。これに対し、予め振動検出手段１５によって振動値を測定するディスク回転速度を２つ以上用意しておき、それぞれの回転速度で振動検出手段１５の検出値を取得してしきい値と比較することで、予め用意した２つ以上の回転速度の中から振動検出手段１５の検出結果が一定値以上にならない回転速度を選択する方法でも、同様に実施可能である。このほかにも、ディスク回転時の振動値が一定値以上にならないように情報ディスク記録再生装置１の最高回転速度を選択すれば、同様に実施可能である。
【０１２６】
また、本実施の形態では情報ディスクの全面に記録を行う場合を例に説明したが、記録を行うデータ量が少なく全面に記録を行わない場合でも同様に実施可能である。
本実施の形態では、所定のデータレートの４、８、１６、２４倍速で記録を行う場合を例に説明したが、これ以外のデータレートの組み合わせおよびより多くのデータレートの組み合わせでも、同様に実施可能である。
【０１２７】
本実施の形態では、ＣＤ−Ｒ／ＲＷ記録再生装置を例に説明したが、螺旋状にトラックが形成されており、線速度一定でフォーマットされたディスクに記録を行う装置であれば、同様に実施可能である。
【０１２８】
本実施の形態では、記録動作を行う場合を例に説明したが再生動作を行う場合でも同様に実施可能である。
本実施の形態では、記録中に回転速度を監視し、予め定めた回転速度となったのちに記録速度を切り替えるが、記録中に常に回転速度を監視することが困難な場合には、次のように対処することができる。すなわち、予め定めた回転速度に到達すると思われる記録アドレス付近でいったん記録を中断し、そのときの現在の回転速度を確認し、予め定めた回転速度に到達していない場合には、記録速度の切り替えを行わず、記録を中断した箇所から元の記録速度で記録を再開する。そして、その際に、測定した回転速度と記録を一時中断した記録アドレス値から、再度、予め定めた回転速度に到達すると思われる記録アドレス位置を計算して、同様にそのアドレスで記録を一時中断し、そのときの現在の回転速度を確認することを繰り返すことでも、同様に実施可能である。
【０１２９】
本実施の形態では、記録を行いながらディスク２の回転速度を監視して、記録速度切り替え後に、システムの許容最高回転速度またはディスク回転時のドライブの振動が一定値を越えない回転速度のうちいずれか低い回転速度を、記録時のシステムの許容最高回転速度とし、記録時にシステムの許容最高回転速度を越えない状態になったのちに記録速度を切り替えるか、または記録を行いながらディスク２の回転速度を監視して記録時にシステムの許容最高回転速度を越えない状態であるうちに記録速度を切り替えるので、情報ディスク記録再生装置の振動による外部への影響を一定以下とし、システムの許容最高回転速度を越えないようにしながら、ディスクごとに最短の記録時間で記録を行うことができる情報ディスク記録再生装置およびその記録再生速度制御方法を提供することができる。
（実施の形態５）
以下に、本発明の実施の形態５について、図７を用いて説明する。
【０１３０】
図７は、本発明をＣＤ−Ｒ／ＲＷ記録再生装置に適用した場合の実施の形態のブロック図である。ただし、実施の形態１に関する図１と同一の構成要素については、重複を避けるためにその詳細な説明を省略する。
【０１３１】
ここで、１４は加速度検出手段で、情報ディスク２、ディスクモータ３、読取／記録手段６のディスク回転などによる振動や偏心の加速度を検出する。たとえば、情報ディスク２、ディスクモータ３、読取／記録手段６と一体に設置された加速度センサーなどにより実現可能である。もちろん、これ以外の方法でも情報ディスク記録再生装置１の振動などによる加速度を直接若しくは間接的に測定する手段であれば、同様に用いることができる。
【０１３２】
上述のように、光ディスク装置などでは、トラッキング、フォーカス方向のサーボゲインは、通常、ある周波数帯域で一定ゲインとなるように自動的に調整される。したがって、ディスク回転にもとづく加速度によるサーボずれ量が一定以上となる場合には、サーボが外れたり、トラッキング／フォーカスのずれ量が大きくなって記録／再生品位に支障がでたりすることが、一般に知られている。したがって、設定したサーボゲイン、周波数に対して一定以上の加速度とならないようなディスク回転速度とすることで、常に記録／再生信号の品位を一定以上に保つことが可能になる。たとえば、ディスク回転による振動周波数は、ディスクの回転にほぼ同期すると考えられるので、ディスクの回転速度が４８００ｒｐｍである場合には、８０Ｈｚとなる。８０Ｈｚのもとでのトラッキング／フォーカスゲイン値と目標とするトラッキング／フォーカスずれ量とから、この回転速度での限界加速度値を求めることは、単純な物理計算で容易に実行することができる。
【０１３３】
１５は振動検出手段で、情報ディスク記録再生装置１の振動、すなわち、情報ディスク２、ディスクモータ３、読取／記録手段６における、ディスク回転などにもとづく振動を検出する。情報ディスク記録再生装置１の振動は、装置に内蔵されるＰＣなどの機器に伝わり、使用者に不快感を与えるだけでなく、振動による騒音などの障害を引き起こすため、一定値以下であることが好ましい。振動検出手段１５は、たとえば、情報ディスク２、ディスクモータ３、読取／記録手段６と一体に設置された振動センサーや加速度センサーの検出値をもとに、振動がディスク２の回転に同期しているものとして積分演算することなどにより、検出を行うことが可能である。もちろん、これ以外の方法でも、情報ディスク記録再生装置１の振動を直接若しくは間接的に測定する手段を用いれば、同様に実施可能である。
【０１３４】
ここで、システムの許容最高回転速度は、実施の形態１の場合と同様に、情報ディスク記録再生装置１で予め決められており、この回転速度をＸ１とする。また、ディスク回転による加速度が一定以上となるディスク回転速度を求めるときには、通常、ディスク２が挿入された際や記録を開始する前に、ディスク回転速度を上昇させながら、加速度検出手段１４の検出結果が一定値以上になる回転速度を予め求める。この回転速度をＸ２とする。また、ディスク回転による振動が一定以上となるディスク回転速度を求めるには、通常、ディスク２が挿入された際や記録を開始する前に、ディスク回転速度を上昇させながら、振動検出手段１５の検出結果が一定値以上になる回転速度を予め求める。この回転速度をＸ３とする。したがって、回転速度がＸ１となるまで加速しても加速度検出手段１４の検出結果が一定値を越えず、なおかつ振動検出手段１５の検出結果も一定値を越えなければ、このときのシステムの許容最高回転速度はＸ１、途中で予め定めた加速度値または予め定めた振動値を越えればそれぞれの回転速度Ｘ２、Ｘ３のいずれか低い方の回転速度が記録時のシステムの許容最高回転速度となる。
【０１３５】
つぎに、情報ディスク記録再生装置１が所定のデータレートの４、８、１６、２４倍の記録速度で記録可能な場合には、まず最内周での記録開始速度を決定する。この記録開始速度は、最内周で記録を開始したときに先に求めた回転速度Ｘ１かＸ２かＸ３いずれか最も小さい値を越えない範囲で最大の記録速度とする。
【０１３６】
たとえば、Ｘ1が４８００ｒｐｍ、Ｘ２が３８００ｒｐｍ、Ｘ３が４１００ｒｐｍであったとすると、システムの許容最高回転速度は３８００ｒｐｍとなる。上述の表１から、最内周での回転速度が３８００ｒｐｍを越えない記録速度は４倍速となる。
【０１３７】
４倍速で記録を開始したとすると、情報ディスク２は線速度一定でフォーマットされているので、このフォーマットされたアドレス情報に対して所定のデータレートの４倍速になるように制御を行いながら記録動作を行うと、最内周で最も回転速度が高く外周に向かうに従って回転速度が低下する。ここで、順次記録を行いながら制御手段１１は回転速度検出手段５より現在のディスク回転速度を監視し、予め定めた回転速度以下になった時点でいったん記録を中断する。そして、データレートを８倍速になるように制御を切り替えたのち、４倍速で記録を中断した続きから記録を再開する。同様に順次８倍速で外周に向かって記録を行い、現在のディスク回転速度が予め定めた回転速度以下になった時点で再び記録を一時中断し、データレートを１６倍速に切り替えて最外周まで記録を行う。
【０１３８】
記録速度を切り替える回転速度は、Ｘ１またはＸ２の回転速度のうちいずれか小さい方をシステムの記録時における許容最高回転速度とすることで、実施の形態１の場合と同様にして求めることができる。
【０１３９】
本実施の形態の例では、システムの許容最高回転速度が３８００ｒｐｒｍであり、また記録速度が４、８、１６倍速となるので、それぞれの切り替え回転速度は、
Ｒmax2＝Ｘ２＝３８００ｒｐｍとして、
【０１４０】
【数１１】
2005243054.tif 000015
【０１４１】
【数１２】
2005243054.tif 000016
となる。
【０１４２】
本実施の形態にもとづき回転速度の切り替えを行ったときのディスク回転速度と記録速度との変化の例を図５に示す。
また再生時の速度制御に関しても同様に決定することができる。再生時の速度制御に関して記録時と異なる点は、特にＣＤ−Ｒ／ＲＷなどの情報記録媒体の場合、記録時には振動による加速度が前述した様に一定値より大きくなると記録品位が悪化したり、記録が中断してしまうため、予め振動による加速度が一定値以下であるようにする必要があるのに対して、再生時は、強力なエラー訂正能力があるため、多少の信号品位の悪化は許容される、またエラー訂正できない場合には、同一速度もしくは再生速度を落として再度読み取りを試みればよい点である。このため、再生時には、一般に、ディスクの振動による騒音や装置全体の振動を防止する目的で、振動検出手段１５にて検出される振動値が一定値以下となるように制御するのが一般的である。
【０１４３】
たとえば、装置がＣＤ−Ｒ／ＲＷの再生を行うときの対応速度が、８ｘＣＡＶ、１６ｘＣＡＶ、２０ｘＣＡＶで、それぞれディスク回転速度が、８ｘＣＡＶ時は１８００ｒｐｍ、１６ｘＣＡＶ時は３６００ｒｐｍ、２０ｘＣＡＶ時は４０００ｒｐｍであったとすると、先ほど検出したＸ１、Ｘ２、Ｘ３のうち、システムの許容最高回転速度Ｘ１と、振動値が一定以上となる回転速度Ｘ３とのいずれか低い方の回転速度を再生時の許容最高回転速度とする。上記の例では、Ｘ１：４８００ｒｐｍ、Ｘ３：４１００ｒｐｍであるので、再生時の許容最高回転速度は４１００ｒｐｍとなる。そこで、２０ｘＣＡＶを選択することになる。
【０１４４】
本実施の形態では、ディスク回転による振動値が一定以上となるディスク回転速度を求めるために、ディスクが挿入された際や記録を開始する前にディスク回転速度を上昇させながら振動検出手段１５の検出結果が一定値以上になる回転速度を求める方法を採用している。しかし、これに限らず、振動検出手段１５にて振動値を測定するディスク回転速度を予め２つ以上用意しておき、それぞれの回転速度で振動検出手段１５の検出値を取得してしきい値と比較することで、予め用意した２つ以上の回転速度の中から振動検出手段１５の検出結果が一定値以上にならない回転速度を選択する方法でも、同様に実施可能である。このほかにも、ディスク回転時の振動値が一定値以上にならないように情報ディスク記録再生装置１の最高回転速度を選択しても、同様に実施可能である。
【０１４５】
また、本実施の形態では情報ディスクの全面に記録を行う場合を例に説明したが、記録を行うデータ量が少なく全面に記録を行わない場合でも同様に実施可能である。
さらに、本実施の形態では所定のデータレートの４、８、１６、２４倍速で記録を行う場合を例に説明したが、これ以外のデータレートの組み合わせおよびより多くのデータレートの組み合わせでも同様に実施可能である。
【０１４６】
さらに、本実施の形態ではＣＤ−Ｒ／ＲＷ記録再生装置を例に説明したが、螺旋状にトラックが形成されており、線速度一定でフォーマットされたディスクに記録を行う装置であれば、同様に実施可能である。
【０１４７】
さらに、本実施の形態では記録動作を行う場合を例に説明したが、再生動作を行う場合でも同様に実施可能である。また、加速度は記録／再生動作中に要求されるトラッキング／フォーカスずれ量が異なるため別個のしきい値を使用し、振動値は外部に影響する振動を一定以下にするため共通のしきい値を設定することでも、同様に実施可能である。さらに、加速度／振動それぞれに別個または共通のしきい値を組み合わせて設定しても、同様に実施可能である。
【０１４８】
本実施の形態では、記録中に回転速度を監視し、予め定めた回転速度となったのちに記録速度を切り替えるが、記録中に常に回転速度を監視することが困難な場合には、次のように対処することができる。すなわち、予め定めた回転速度に到達すると思われる記録アドレス付近でいったん記録を中断し、そのときの現在の回転速度を確認し、予め定めた回転速度に到達していない場合には、記録速度の切り替えを行わず、記録を中断した箇所から元の記録速度で記録を再開する。そして、その際に、測定した回転速度と記録を一時中断した記録アドレス値から、再度、予め定めた回転速度に到達すると思われる記録アドレス位置を計算して、同様にそのアドレスで記録を一時中断し、そのときの現在の回転速度を確認することを繰り返すことでも、同様に実施可能である。
【０１４９】
以上のように本実施の形態によれば、記録を行いながらディスクの回転速度を監視して、記録速度の切り替え後にシステムの許容最高回転速度またはディスク回転時のドライブの加速度が一定値を越えない回転速度またはドライブの振動が一定値を越えない回転速度のうちいずれか低い回転速度を、記録時におけるシステムの許容最高回転速度とし、記録時にシステムの許容最高回転速度を越えない状態になったのちに、記録速度を切り替えるものであるため、または、記録を行いながらディスクの回転速度を監視して記録時にシステムの許容最高回転速度を越えない状態であるうちに記録速度を切り替えるものであるため、良好な記録状態を保つためにサーボエラー量が一定以下となるようにしながら、情報ディスク記録再生装置の振動による外部への影響を一定以下とし、システムの許容最高回転速度を越えないようにしながら、ディスクごとに最短の記録時間で記録を行うことができる情報ディスク記録再生装置およびその記録再生速度制御方法を提供することができる。
【０１５０】
（実施の形態６）
以下に、本発明の実施の形態６について、図９を用いて説明する。
図９は、本発明をＣＤ−Ｒ／ＲＷ記録再生装置に適用した場合の実施の形態のブロック図である。ただし、実施の形態１に関する図１と同一の構成要素については、重複を避けるためにその詳細な説明を省略する。
【０１５１】
ここで、１６はトラッククロス検出手段で、読取／記録手段６からの参照信号２０が情報ディスク２のトラックを横切る際の再生信号に基づいてトラッククロス信号を生成する。１７は計数手段で、トラッククロス検出手段１６により検出されたトラッククロスパルスを計数し、制御手段１１に出力する。
【０１５２】
次に、制御手段１１が実際にトラッククロス検出手段１６、計数手段１７を用いてトラッキング方向の加速度値を求めるときの手順の例を説明する。
ある回転速度で、読取／記録兼用光学ヘッド１２のトラッキングサーボをＯｆｆにすると、読取／記録兼用光学ヘッド１２の光ビームは、情報ディスク２とディスク回転手段４との偏心、および情報ディスク記録再生装置１の自己振動により、情報ディスク２のトラックを、情報ディスク２の回転と同じ周期で往復する。この往復する際のトラック横断信号をトラッククロス検出手段１６で検出し、計数手段１７によりディスク１回転分の計数値を得る。光ビームの往復運動が正弦波で近似できると考えると、１回転分のトラック横断数ｍは、往復運動の振幅を２ｄとすると、
【０１５３】
【数１３】
2005243054.tif 000017
となり、往復運動の関数が、
【０１５４】
【数１４】
2005243054.tif 000018
と求まる。したがって、加速度の関数は、これを２回微分して、
【０１５５】
【数１５】
2005243054.tif 000019
となる。一方、往復運動中の加速度の最大値の絶対値ａｍａｘは、
【０１５６】
【数１６】
2005243054.tif 000020
となる。この関数の単位はトラック横断数であるが、ディスクの種類によりおおよそのトラックピッチは決まっており、たとえばＣＤ規格のディスクでは１．５〜１．７μｍであるので、この値をＴｐとすると、加速度値は
【０１５７】
【数１７】
2005243054.tif 000021
となり、１回転分についてのトラック横断数ｍ、ディスク固有のトラックピッチＴｐ、現在のディスク回転速度ωから、加速度値を求めることができる。
【０１５８】
あとは、実施の形態４に記載したものと同様の方法で記録動作を行うことができる。
以上のように本実施の形態によれば、特別な加速度検出手段を持たない安価な構成で、記録を行いながらディスクの回転速度を監視して、記録速度切り替え後にシステムの許容最高回転速度が一定値を越えない回転速度、またはディスク回転時のドライブの振動が一定値を越えない回転速度のうちのいずれか低い回転速度を、記録時におけるシステムの許容最高回転速度として、記録時にシステムの許容最高回転速度を越えない状態になったのちに記録速度を切り替えるので、または、記録を行いながらディスクの回転速度を監視して記録時にシステムの許容最高回転速度を越えない状態であるうちに記録速度を切り替えるので、情報ディスク記録再生装置の振動による外部への影響を一定以下とし、システムの許容最高回転速度を越えないようにしながら、ディスクごとに最短の記録時間で記録を行うことができる情報ディスク記録再生装置およびその記録再生速度制御方法を提供することができる。
【０１５９】
（実施の形態７）
以下に、本発明の実施の形態７について、図１０を用いて説明する。
図１０は本発明をＣＤ−Ｒ／ＲＷ記録再生装置に適用した場合の実施の形態のブロック図である。ただし、実施の形態１に関する図１と同一の構成要素については、重複を避けるためにその詳細な説明を省略する。
【０１６０】
ここで、１６はトラッククロス検出手段で、読取／記録手段６からの参照信号２０が情報ディスク２のトラックを横切る際の再生信号に基づいてトラッククロス信号を生成する。１８は回転角度検出手段で、たとえばホール素子を用いたＦＧパルス、ディスクモータ３に取り付けられたエンコーダなどにより、ディスク回転手段４の回転角度情報を、１回転あたりｎ分割された領域ごとに出力する。１９はトラッククロス方向検出手段で、たとえば読取／記録兼用光学ヘッド１２よりの再生信号の明側エンベロープをしきい値と比較して２値化したミラー信号と、読取／記録兼用光学ヘッド１２よりのトラック横断信号を２値化したトラッククロス信号の位相とを比較することにより、トラッククロス方向を検出し、その検出結果を計数手段１７に出力する。計数手段１７は、トラッククロス検出手段１６により検出されたトラッククロスパルスをトラッククロス方向検出手段１９の検出結果に従ってｎ分割された領域ごとに計数し、制御手段１１に出力する。
【０１６１】
次に、制御手段１１が情報ディスク記録再生装置のトラッキング方向の振動量を検出する手順を、回転角度検出手段１８が１回転を６個の領域に分割して検出する場合を例に説明する。
【０１６２】
まず、情報ディスク記録再生装置１において振動が発生しないもしくは無視できるほど十分に振動量が小さい第１の回転速度で情報ディスク２を回転させながら、読取／記録兼用光学ヘッド１２のトラッキングサーボをＯｆｆにすると、読取／記録兼用光学ヘッド１２の光ビームは、情報ディスク２とディスク回転手段４との間の偏心により、情報ディスク２の回転と同じ周期でこの情報ディスク２のトラックを往復する。この往復する際のトラック横断信号をトラッククロス検出手段１６で検出し、トラッククロス方向検出手段１９の検出結果に従って方向符号付きのトラック横断情報を得、回転角度検出手段１８の検出結果に従って１回転を６分割した領域ごとの計数値の合計値を得る。
【０１６３】
次に、第１の回転速度よりも速い第２の回転速度で、読取／記録兼用光学ヘッド１２のトラッキングサーボをＯｆｆにして、同様に１回転を６分割した領域ごとの計数値の合計値を得る。
【０１６４】
すると、対応する領域ごとの計数値の差が、第２の回転速度での情報ディスク２の偏心成分を除いた振動成分のトラック横断データになる。このデータを演算することにより振動値を得ることができ、これをしきい値と比較することにより、情報ディスク記録再生装置１の振動値が予め定めた値を超えないディスク回転速度を求めることができる。
【０１６５】
各領域の計数値から振動値を求める方法としては、様々なものがあるが、以下のような方法が一般的である。
たとえば、ＣＤ−Ｒ／ＲＷ記録再生装置で、振動が発生しない低回転速度での検出を１４３５ｒｐｍで行うとともに、振動検出を３０００ｒｐｍ、４０００ｒｐｍで行い、許容可能な振動量を１００μｍとした場合の例を、以下に説明する。
【０１６６】
まず、ＣＤ−Ｒ／ＲＷディスクを、振動が発生しないだけ遅い速度１４３５ｒｐｍで回転させる。そして、トラッキングサーボをＯｆｆとしたうえで、６０度の回転角度ごとに計数手段１７の計数値を得る。このときの計数値としては、振動が発生していないので、情報ディスク２のディスクモータ３のターンテーブル間の偏心成分のみによる計数値が計数される。この計数値は、たとえば、１回転を単位として複数回転分測定を行い、その平均値を計数値として採用する方法や、同様に複数回転分測定を行い、その中から誤カウントが少ないと思われるものを評価して複数選択する方法などが可能である。
【０１６７】
たとえば、６分割された各領域で方向検出付きで４回転分計測されたデータとその平均値が、
【０１６８】
【表２】
2005243054.tif 000022
であったとする。
【０１６９】
同様に、３０００ｒｐｍで測定を行い、この３０００ｒｐｍでの計測値が、
【０１７０】
【表３】
2005243054.tif 000023
であったとすると、１４３５ｒｐｍと３０００ｒｐｍでのトラックカウント値の平均値の差は、各領域ごとに、
【０１７１】
【表４】
2005243054.tif 000024
のようになり、これが、振動によるトラックカウント値となる。
【０１７２】
この表４のデータから振動量を求めるときには、このデータを次の振動量の式に代入することで１２個のデータを求めることができ、
【０１７３】
【数１８】
2005243054.tif 000025
【０１７４】
【数１９】
2005243054.tif 000026
【０１７５】
【表５】
2005243054.tif 000027
のようになる。この１２個のデータの平均値をとると、
振動量＝４５．７５トラック
となる。さらに、このディスクはＣＤ−Ｒ／ＲＷディスクであるので、振動量に標準のトラックピッチ１．６μｍを掛けると、
振動振幅＝７３．２ [μｍ]
となる。システムで許容される最大振動振幅は１００μｍとしており、許容値以下であるので、３０００ｒｐｍで回転可能となる。
【０１７６】
次に、４０００ｒｐｍで測定を行う。４０００ｒｐｍでの計測値が、
【０１７７】
【表６】
2005243054.tif 000028
であったとすると、１４３５ｒｐｍと４０００ｒｐｍでのトラックカウント値の平均値の差は、各領域ごとに、
【０１７８】
【表７】
2005243054.tif 000029
のようになり、これが、振動によるトラックカウント値となる。
【０１７９】
この表７のデータから、振動量を求めるには、振動量の式
【０１８０】
【数１８】
2005243054.tif 000030
【０１８１】
【数１９】
2005243054.tif 000031
に代入することで１２個のデータを求めることができ、
【０１８２】
【表８】
2005243054.tif 000032
のようになる。この１２個のデータの平均値を取ると、
振動量＝１５９トラック
となる。さらに、このディスクはＣＤ−Ｒ／ＲＷディスクであるので、振動量にトラックピッチ１．６μｍを掛けると、
振動振幅＝２５４．４４ [μｍ]
となる。システムで許容される最大振動振幅は１００μｍとしており、許容値以上であるので、４０００ｒｐｍでは回転不可となり、最高回転速度は３０００ｒｐｍに設定される。
【０１８３】
次に、方向検出により測定した符号付きの計数値を用いて、振動量を（数１８）（数１９）で表すことができる理由について説明する。
トラックカウント領域を６０°ごとに区切って測定した場合の各区間の計数値は、各区間を「区間０〜５」とし、振動量Ｔｃ、区間０の起点でのトラック変位量の位相角φとすると、
【０１８４】
【数２０】
2005243054.tif 000033
であらわすことができる。
【０１８５】
区間０〜５の各データを、
DAT[0]=a,  DAT[1]=b,  DAT[2]=c,  DAT[3]=-a,  DAT[4]=-b,  DAT[5]=-c
とすると、（数１６）より DAT[0]は、
【０１８６】
【数２１】
2005243054.tif 000034
となる。
【０１８７】
同様に、DAT[1]は、
【０１８８】
【数２２】
2005243054.tif 000035
となる。（数２０）より、
【０１８９】
【数２３】
2005243054.tif 000036
とおくと、（数１８）は、
【０１９０】
【数２４】
2005243054.tif 000037
となる。したがって、
【０１９１】
【数２５】
2005243054.tif 000038
となる。また同様に、DAT[0]=a,  DAT[2]=c より、
【０１９２】
【数２６】
2005243054.tif 000039
となる。（数２５）（数２６）より（数１８）（数１９）が導かれる。
【０１９３】
また、偏心、振動によるトラック横断を正弦波で表しているので、Ｔcと、位相角φ、角速度ωとを用いて、
【０１９４】
【数２７】
2005243054.tif 000040
と表すことができる。
【０１９５】
あとは、実施の形態５と同様の方法で記録動作を行うことができる。
本実施の形態では、回転角度検出手段１８により１回転を６個の領域に分割して領域ごとにトラック横断数を計数する場合を例に説明したが、４個以上の領域であれば、分割する領域数がこれより少なくても多くても同様に実施可能である。
【０１９６】
また、本実施の形態では３個の回転速度で検出を行う例を説明したが、２個以上の回転速度であれば同様に実施可能である。
以上のように本実施の形態によれば、特別な振動検出手段を持たない安価な構成で、記録を行いながらディスクの回転速度を監視して、記録速度切り替え後に記録再生装置のディスクが回転したときの振動量が予め定めた値以下である回転速度か、ディスク装置の予め定めた最高回転速度か、いずれか小さい方を、若しくは、記録を行いながらディスクの回転速度を監視して、記録速度切り替え後に記録再生装置のディスクが回転したときの振動による実際の加速度が予め定めた値以下である回転速度か、記録速度切り替え後に記録再生装置のディスクが回転したときの振動量が予め定めた値以下である回転速度か、ディスク装置の予め定めた最高回転速度か、いずれか小さい方を、システムの許容回転速度としてその速度を越えない状態になったのちに記録速度を切り替えるので、振動による加速度での記録への障害を防止し、振動量が一定以上になるのを防止し、設定したシステムの許容最高回転速度を越えないようにしながら、ディスクごとに最短の記録時間で記録を行うことができる情報ディスク記録再生装置を提供することができる。
【産業上の利用可能性】
【０１９７】
本発明の情報ディスク記録再生装置およびその記録再生速度制御方法は、記録再生を行いながらディスクの回転速度を監視して、その記録再生速度を切り替えるものであるため、システムの許容最高回転速度を越えないようにしながら、ディスクごとに最短の記録再生時間で記録再生を行うことができる情報ディスク記録再生装置を提供することができ、ＣＬＶフォーマットのディスクをＺＣＬＶ記録するための情報ディスク記録再生装置およびその記録再生速度制御方法として有用である。
【図面の簡単な説明】
【０１９８】
【図１】本発明の実施の形態１および２のＣＤ−Ｒ／ＲＷ記録再生装置のブロック図
【図２】図１の装置において回転速度の切り替えを行ったときのディスク回転速度と記録速度との変化の例を示す図
【図３】図１の装置において回転速度の切り替えを行ったときのディスク回転速度と記録速度との変化の他の例を示す図
【図４】本発明の実施の形態３のＣＤ−Ｒ／ＲＷ記録再生装置のブロック図
【図５】図４の装置において回転速度の切り替えを行ったときのディスク回転速度と記録速度との変化の例を示す図
【図６】本発明の実施の形態４のＣＤ−Ｒ／ＲＷ記録再生装置のブロック図
【図７】本発明の実施の形態５のＣＤ−Ｒ／ＲＷ記録再生装置のブロック図
【図８】図７の装置において回転速度の切り替えを行ったときのディスク回転速度と記録速度との変化の例を示す図
【図９】本発明の実施の形態６のＣＤ−Ｒ／ＲＷ記録再生装置のブロック図
【図１０】本発明の実施の形態７のＣＤ−Ｒ／ＲＷ記録再生装置のブロック図
【図１１】従来の装置において回転速度の切り替えを行ったときのディスク回転速度と記録速度との変化の例を示す図
【符号の説明】
【０１９９】
１    情報ディスク記録再生装置
２    情報ディスク
６    読取／記録手段
８    情報ディスク回転制御手段
１０    記録速度制御手段
１１    制御手段
１４    加速度検出手段
１５    振動検出手段
１６    トラッククロス検出手段
１７    計数手段
１８    回転角度検出手段
１９    トラッククロス方向検出手段
【図１】
2005243054.tif 000043
【図２】
2005243054.tif 000044
【図３】
2005243054.tif 000045
【図４】
2005243054.tif 000046
【図５】
2005243054.tif 000047
【図６】
2005243054.tif 000048
【図７】
2005243054.tif 000049
【図８】
2005243054.tif 000050
【図９】
2005243054.tif 000051
【図１０】
2005243054.tif 000052
【図１１】
2005243054.tif 000053